(57)【特許請求の範囲】
【請求項１】
通信デバイスを動作させる方法であって、
少なくとも１つのワイドエリアネットワーク（ＷＡＮ）通信帯域において信号を受信することを監視することと、
前記少なくとも１つのＷＡＮ通信帯域がＷＡＮデバイスのセクタによって使用されていないことを前記ＷＡＮデバイスからの受信信号を復号することにより復元される通信情報に基づいて確認することと、
しきい値レベルを超える信号電力レベルを有する信号が所定の期間内に前記少なくとも１つのＷＡＮ通信帯域から受信されなかった場合、ピアツーピア信号の伝達に用いるために、前記少なくとも１つのＷＡＮ通信帯域に対応する通信帯域を選択することとを備え、
前記少なくとも１つのＷＡＮ通信帯域はＷＡＮダウンリンク帯域であり、前記対応する通信帯域はアップリンク周波数帯域である、方法。
【請求項２】
前記対応する通信帯域において前記ピアツーピア信号を送信することをさらに備える請求項１に記載の方法。
【請求項３】
前記対応する通信帯域が前記少なくとも１つのＷＡＮ通信帯域と異なる請求項２に記載の方法。
【請求項４】
前記少なくとも１つのＷＡＮ通信帯域は周波数分割複信システムにおけるＷＡＮダウンリンク帯域であり、前記対応する通信帯域は、前記周波数分割複信システムにおけるＷＡＮアップリンク周波数帯域である請求項３に記載の方法。
【請求項５】
前記少なくとも１つのＷＡＮ通信帯域はＴＤＤシステムにおけるＷＡＮダウンリンク帯域であり、前記対応する通信帯域は前記ＴＤＤシステムにおけるアップリンク帯域である請求項３に記載の方法。
【請求項６】
第１の通信帯域は複数の通信帯域のうちの１つであり、
しきい値を超える前記第１の通信帯域において信号が検出された場合、前記複数の通信帯域外の第２の帯域を監視することと、
ピアツーピアシグナリングのために、前記複数の通信帯域のうちの前記第１の通信帯域以外の１つを選択することとを備える請求項１に記載の方法。
【請求項７】
前記監視することは、前記複数の通信帯域のうちの前記第１の通信帯域以外の前記選択された１つにおいて前記しきい値を超える信号を検出しない請求項６に記載の方法。
【請求項８】
少なくとも１つのワイドエリアネットワーク（ＷＡＮ）通信帯域からの信号を受信する受信機モジュールと、
前記少なくとも１つのＷＡＮ通信帯域がＷＡＮデバイスのセクタによって使用されていないことを前記ＷＡＮデバイスからの受信信号を復号することにより復元される通信情報に基づいて確認し、しきい値レベルを超える信号電力レベルを有する信号が所定の期間内に前記少なくとも１つのＷＡＮ通信帯域から受信されたかを判断するしきい値判断モジュールと、
前記しきい値判断モジュールが、前記しきい値レベルを超える信号電力レベルを有する信号が前記所定の期間内に受信されなかったと判断した場合、ピアツーピアシグナリングのために、前記少なくとも１つの通信帯域に対応する通信帯域を選択するピアツーピア通信帯域選択モジュールとを備え、
前記少なくとも１つのＷＡＮ通信帯域はＷＡＮダウンリンク帯域であり、前記対応する通信帯域はアップリンク周波数帯域である、ワイヤレス端末。
【請求項９】
ピアツーピア信号を生成するピアツーピア信号生成モジュールと、
前記対応する通信帯域において前記ピアツーピア信号を送信する送信機モジュールとをさらに備える請求項８に記載のワイヤレス端末。
【請求項１０】
前記少なくとも１つのＷＡＮ通信帯域に対応するＷＡＮ通信帯域を示す、記憶された情報を含むメモリをさらに備え、前記記憶された情報は、前記対応する通信帯域が前記少なくとも１つのＷＡＮ通信帯域と異なることを示す請求項９に記載のワイヤレス端末。
【請求項１１】
前記少なくとも１つのＷＡＮ通信帯域は、周波数分割複信システムにおけるＷＡＮダウンリンク帯域であり、前記ワイヤレス端末はさらに、
前記周波数分割複信システムにおけるアップリンク周波数帯域である対応する周波数帯域を示す、格納された対応する通信帯域情報を含むメモリを備える請求項１０に記載のワイヤレス端末。
【請求項１２】
前記少なくとも１つのＷＡＮ通信帯域は、ＴＤＤシステムにおけるＷＡＮダウンリンク帯域であり、前記ワイヤレス端末はさらに、
前記ＴＤＤシステムにおけるアップリンク帯域である対応する通信帯域を示す、格納された対応する通信帯域情報を含むメモリを備える請求項１０に記載のワイヤレス端末。
【請求項１３】
第１の通信帯域が複数の通信帯域のうちの１つであり、
しきい値を超える前記第１の通信帯域において信号が検出された場合、前記しきい値判断モジュールは、前記複数の通信帯域外の第２の帯域を監視し、
前記選択モジュールは、前記第２の帯域を監視することに応じて、ピアツーピアシグナリングのために、前記複数の通信帯域のうちの前記第１の通信帯域以外の１つを選択する請求項８に記載のワイヤレス端末。
【請求項１４】
前記選択モジュールは、前記判断モジュールが、前記しきい値を超える信号を検出しない通信帯域を選択する請求項１３に記載のワイヤレス端末。
【請求項１５】
前記選択モジュールは、前記判断モジュールが前記しきい値を超える信号を検出しないダウンリンク通信帯域に対応するアップリンク通信帯域を選択する請求項１３に記載のワイヤレス端末。
【請求項１６】
少なくとも１つのワイドエリアネットワーク（ＷＡＮ）通信帯域からの信号を受信する受信機手段と、
前記少なくとも１つのＷＡＮ通信帯域がＷＡＮデバイスのセクタによって使用されていないことを前記ＷＡＮデバイスからの受信信号を復号することにより復元される通信情報に基づいて確認し、しきい値レベルを超える信号電力レベルを有する信号が所定の期間内に前記少なくとも１つのＷＡＮ通信帯域から受信されたかを判断する手段と、
前記判断する手段が、前記しきい値レベルを超える信号電力レベルを有する信号が前記所定の期間内に受信されなかったと判断した場合、ピアツーピアシグナリングのために、前記少なくとも１つのＷＡＮ通信帯域に対応する通信帯域を選択する手段とを備え、
前記少なくとも１つのＷＡＮ通信帯域はＷＡＮダウンリンク帯域であり、前記対応する通信帯域はアップリンク周波数帯域である、ワイヤレス端末。
【請求項１７】
ピアツーピア信号を生成する手段と、
前記対応する通信帯域において前記ピアツーピア信号を送信する手段とをさらに備える請求項１６に記載のワイヤレス端末。
【請求項１８】
第１の通信帯域が複数の通信帯域のうちの１つであり、
しきい値を超える前記第１の通信帯域において信号が検出された場合、前記判断する手段は、前記複数の通信帯域外の第２の帯域を監視し、
前記選択する手段は、前記第２の帯域を監視することに応じて、ピアツーピアシグナリングのために、前記複数の通信帯域のうちの前記第１の通信帯域以外の１つを選択する請求項１６に記載のワイヤレス端末。
【請求項１９】
前記選択する手段は、検出する手段が、前記しきい値を超える信号を検出しない通信帯域を選択する請求項１８に記載のワイヤレス端末。
【請求項２０】
前記選択する手段は、検出する手段が、前記しきい値を超える信号を検出しないダウンリンク通信帯域に対応するアップリンク通信帯域を選択する請求項１８に記載のワイヤレス端末。
【請求項２１】
コンピュータによって実行されるときに、別のデバイスと通信する方法を実施するために通信デバイスを制御するための複数のコンピュータ実行可能命令を具備する非一時的なコンピュータ可読記憶媒体であって、前記方法が、
少なくとも１つのワイドエリアネットワーク（ＷＡＮ）通信帯域において信号を受信することを監視することと、
前記少なくとも１つのＷＡＮ通信帯域がＷＡＮデバイスのセクタによって使用されていないことを前記ＷＡＮデバイスからの受信信号を復号することにより復元される通信情報に基づいて確認することと、
しきい値レベルを超える信号電力レベルを有する信号が所定の期間に前記少なくとも１つのＷＡＮ通信帯域から受信されなかった場合、ピアツーピア信号の伝達に用いるために、前記少なくとも１つのＷＡＮ通信帯域に対応する通信帯域を選択することとを備え、
前記少なくとも１つのＷＡＮ通信帯域はＷＡＮダウンリンク帯域であり、前記対応する通信帯域はアップリンク周波数帯域である、非一時的なコンピュータ可読記憶媒体。
【請求項２２】
前記対応する通信帯域において前記ピアツーピア信号を送信するための機械実行可能命令をさらに具備する請求項２１に記載の非一時的なコンピュータ可読記憶媒体。
【請求項２３】
前記対応する通信帯域が前記少なくとも１つのＷＡＮ通信帯域と異なる請求項２２に記載の非一時的なコンピュータ可読記憶媒体。
【請求項２４】
第１の通信帯域が複数の通信帯域のうちの１つであり、
しきい値を超える前記第１の通信帯域において信号が検出された場合、前記複数の通信帯域外の第２の帯域を監視するための機械実行可能命令と、
ピアツーピアシグナリングのために、前記複数の通信帯域のうちの前記第１の通信帯域以外の１つを選択するための機械実行可能命令とをさらに具備する請求項２１に記載の非一時的なコンピュータ可読記憶媒体。
【請求項２５】
前記監視することは、前記複数の通信帯域のうちの前記第１の通信帯域以外の前記選択された１つにおいて前記しきい値を超える信号を検出しない請求項２４に記載のコンピュータ可読媒体。
【請求項２６】
プロセッサと、
コンピュータ記憶媒体とを備え、
前記コンピュータ記憶媒体は、前記プロセッサによって実行されるときに、
少なくとも１つのワイドエリアネットワーク（ＷＡＮ）通信帯域において信号を受信することを監視し、
前記少なくとも１つのＷＡＮ通信帯域がＷＡＮデバイスのセクタによって使用されていないことを前記ＷＡＮデバイスからの受信信号を復号することにより復元される通信情報に基づいて確認し、
しきい値レベルを超える信号電力レベルを有する信号が所定の期間に前記少なくとも１つのＷＡＮ通信帯域から受信されなかった場合、ピアツーピア信号の伝達に用いるために、前記少なくとも１つのＷＡＮ通信帯域に対応する通信帯域を選択するための複数のコンピュータ実行可能命令を具備し、
前記少なくとも１つのＷＡＮ通信帯域はＷＡＮダウンリンク帯域であり、前記対応する通信帯域はアップリンク周波数帯域である、装置。
【請求項２７】
前記プロセッサはさらに、前記対応する通信帯域において前記ピアツーピア信号を送信するように構成された請求項２６に記載の装置。
【請求項２８】
前記対応する通信帯域が前記少なくとも１つのＷＡＮ通信帯域と異なる請求項２７に記載の装置。
【請求項２９】
第１の通信帯域が複数の通信帯域のうちの１つであり、
しきい値を超える前記第１の通信帯域において信号が検出された場合、前記プロセッサはさらに、前記複数の通信帯域外の第２の帯域を監視し、
ピアツーピアシグナリングのために、前記複数の通信帯域のうちの前記第１の通信帯域以外の１つを選択するように構成された請求項２６に記載の装置。
【請求項３０】
前記監視することは、前記複数の通信帯域のうちの前記第１の通信帯域以外の前記選択された１つにおいて前記しきい値を超える信号を検出しない請求項２９に記載の装置。
【請求項３１】
前記ＷＡＮダウンリンク帯域はブロードキャストシグナリングのために前記ＷＡＮデバイスとして機能する基地局によって使用され、前記アップリンク周波数帯域は前記基地局に向けられた送信シグナリングのために前記通信デバイスとして機能するワイヤレス端末によって使用される、請求項１に記載の方法。
【発明の詳細な説明】
【技術分野】
【０００１】
様々な実施形態は、ワイヤレス通信のための方法および装置を対象とし、より詳細には、ピアツーピアワイヤレス通信において使用するための方法および装置を対象とする。
【背景技術】
【０００２】
いくつかのＷＡＮ開発において、通信帯域の使用は、ＷＡＮシステムを通して幾分変化する。たとえば、異なる領域、セル、または複数のセルは、異なる通信帯域、異なる数の通信帯域、および／または異なる電力レベルの通信帯域を使用することができる。いくつかのエリアでは、サービスプロバイダのネットワークによって使用されることができるＷＡＮ帯域は、インフラストラクチャ開発問題や現在の負荷問題のために、ＷＡＮシグナリングに関して使用されていないことがある。したがって利用可能なＷＡＮエアリンクリソースは、所与のロケーションおよび／または時間でのＷＡＮシグナリング要件によって過少利用される可能性があり、時々過少利用されている。他の通信技法、たとえば、ピアツーピアシグナリングをサポートするためにＷＡＮエアリンクリソースを使用できるようにする方法および装置が開発されれば有利であろう。ピアツーピアシグナリングのために使用することができるＷＡＮ通信リソースの特定を可能にする方法および装置、たとえば継続中のＷＡＮ通信に影響を与えないまたはその影響を最低限に抑えるピアツーピアシグナリングのために使用されるエアリンクリソースを特定する方法および装置が開発されれば有利であろう。
【発明の概要】
【０００３】
ピアツーピア通信をサポートするための方法および装置について説明する。ワイヤレス通信システムにおける複数のワイドエリアネットワーク通信帯域は、ピアツーピア信号を伝達する用途にも利用できる。いくつかのＷＡＮ帯域は、特定のロケーションにおいてＷＡＮ通信のために基地局によって使用されない可能性があり、時々使用されない。ピアツーピア通信デバイスは、１つ又は複数のＷＡＮ通信帯域を監視する。監視された１つ又は複数の帯域における受信信号は、しきい値基準と比較される。１つの実施形態では、ピアツーピア通信デバイスが、監視された帯域で信号が検出されないこと、または監視された帯域から受信され評価された信号が指定されたしきい値レベルを下回ることを確認した場合、ピアツーピアワイヤレス端末は、監視された帯域あるいは監視された帯域に対応する帯域のいずれかである帯域をピアツーピアシグナリングに使用することができる。
【０００４】
様々な特徴は、ピアツーピアシグナリングが周波数分割複信（ＦＤＤ）通信帯域と帯域幅を共有する実施形態に関係し、他の特徴は、ピアツーピアシグナリングが時分割複信（ＴＤＤ）通信帯域と帯域幅を共有する実施形態に関係する。したがって、すべての特徴がすべての実施形態で使用されるわけではないことを諒解されたい。
【０００５】
ワイヤレス通信デバイスを動作させる例示的な方法は、少なくとも１つのワイドエリアネットワーク（ＷＡＮ）通信帯域において信号を受信することを監視することと、しきい値レベルを超える信号電力レベルを有する信号が所定の期間に上記通信帯域から受信されなかった場合、ピアツーピア信号の伝達に用いるために、上記監視された通信帯域に対応する通信帯域を選択することとを備える。様々な実施形態による、例示的なワイヤレス端末は、少なくとも１つのＷＡＮ通信帯域からの信号を受信する受信機モジュールと、しきい値レベルを超える信号電力レベルを有する信号が所定の期間に上記通信帯域から受信されたかを判断するしきい値判断モジュールと、上記判断モジュールが、しきい値レベルを超える信号電力レベルを有する信号が所定の期間に受信されなかったと判断した場合、ピアツーピアシグナリングのために、上記監視された通信帯域に対応する通信帯域を選択するピアツーピア通信帯域選択モジュールとを備える。
【０００６】
上記の概要で様々な実施形態について論じたが、必ずしもすべての実施形態が同じ特徴を含むわけではなく、上記の特徴のいくつかは、必要ではないが、いくつかの実施形態では望ましいことを諒解されたい。多数の追加の特徴、実施形態および利益について、以下の詳細な説明において論じる。
【図面の簡単な説明】
【０００７】
【図１】例示的なワイヤレス通信システムと、例示的な周波数スペクトル区分と、例示的な現在のワイヤレス端末の周波数帯域の使用を特定する表との図。
【図２】基準信号を送信する複数のセクタ化された基地局と、それらの基準信号を受信し、測定する例示的なピアツーピアワイヤレス端末とを含む図。
【図３】ピアツーピアシグナリングをもサポートする、例示的な周波数分割複信（ＦＤＤ）ワイドエリアネットワーク（ＷＡＮ）通信システムにおける周波数帯域の例示的な対を示す図と、例示的な選択基準を含む例示的なピアツーピア関連情報を示す表とを含む図。
【図４】ピアツーピアシグナリングをもサポートする、例示的なＦＤＤ  ＷＡＮ通信システムにおける周波数帯域の例示的な対を示す図と、例示的な選択基準を含む例示的なピアツーピア関連情報を示す表とを含む図。
【図５】図３と図４の両方によって表される特徴を組み込んだ例示的な実施形態を示す図。
【図６】異なるセルが異なる時分割複信（ＴＤＤ）複信帯域を使用し、エアリンクリソースの少なくとも一部がＷＡＮとピアツーピア通信との間で共有される、ＴＤＤシステムにおける例示的な通信帯域を示す図。
【図７】異なるセルが同じＴＤＤ帯域を異なる時間に使用し、エアリンクリソースの少なくとも一部がＷＡＮとピアツーピア通信との間で共有される、時分割複信システムにおける例示的な通信帯域を示す図。
【図８】同じ周波数帯域が複数のアップリンク／ダウンリンク帯域に対応し、エアリンクリソースの少なくとも一部がピアツーピア通信と共有される、ＴＤＤ  ＷＡＮシステムにおける例示的な周波数帯域を示す図。
【図９】様々な実施形態によるＷＡＮシグナリングとピアツーピアシグナリングとをサポートする例示的な通信システムの図。
【図１０】様々な実施形態によるピアツーピア通信をサポートする通信デバイスを動作させる例示的な方法のフローチャート。
【図１１】様々な実施形態によるピアツーピア通信をサポートする通信デバイスを動作させる例示的な方法のフローチャート。
【図１２】様々な実施形態によるピアツーピア通信をサポートする通信デバイスを動作させる例示的な方法のフローチャート。
【図１３】様々な実施形態によるピアツーピア通信をサポートする通信デバイスを動作させる例示的な方法のフローチャート。
【図１４】様々な実施形態によるピアツーピア通信をサポートする通信デバイスを動作させる例示的な方法のフローチャート。
【図１５】様々な実施形態によるピアツーピア通信をサポートする通信デバイスを動作させる例示的な方法のフローチャート。
【図１６】様々な実施形態によるピアツーピア通信をサポートする通信デバイスを動作させる例示的な方法のフローチャート。
【図１７】様々な実施形態による、ピアツーピア通信をサポートする例示的なワイヤレス端末、たとえば、移動体ノードの図。
【図１８】様々な実施形態による、ピアツーピア通信をサポートする例示的なワイヤレス端末、たとえば、移動体ノードの図。
【図１９】様々な実施形態による、ピアツーピア通信をサポートする例示的なワイヤレス端末、たとえば、移動体ノードの図。
【発明を実施するための形態】
【０００８】
図１は、例示的なワイヤレス通信システム１０２と、例示的な周波数スペクトル区分１０４と、例示的な現在のワイヤレス端末の周波数帯域の使用を特定する表との図１００である。例示的なワイヤレス通信システム１０２は、ワイヤレス端末が基地局接続ポイントを介してシステム中の別のワイヤレス端末と通信するＷＡＮ通信と、ワイヤレス端末が基地局を使用することなしにネットワーク接続ポイントとして別のワイヤレス端末と通信するピアツーピア通信との両方をサポートする。
【０００９】
例示的なワイヤレス通信システム１０２は、それぞれ対応するセルラカバレージエリア（セル１  １１４、セル２  １１６、セル３  １１８）をもつ複数の基地局（基地局１  １０８、基地局２  １１０、基地局３  １１２）を含む。この例では、基地局はマルチセクタ基地局、たとえば、３つのセクタ基地局である。セル１  １１４は、第１のセクタ１２０と、第２のセクタ１２２と、第３のセクタ１２４とを含む。セル２  １１６は、第１のセクタ１２６と、第２のセクタ１２８と、第３のセクタ１３０とを含む。セル３  １１８は、第１のセクタ１３２と、第２のセクタ１３４と、第３のセクタ１３６とを含む。このシステムでは、少なくとも一部のセクタ間に部分的な重複がある。
【００１０】
周波数スペクトル区分の図１０４は、第１の周波数帯域ｆ１１３８と、第２の周波数帯域ｆ２１４０と、第３の周波数帯域ｆ３１４２とを含む。いくつかの実施形態では、周波数帯域（１３８、１４０、１４２）はダウンリンク周波数帯域である。いくつかの実施形態では、周波数帯域（１３８、１４０、１４２）はアップリンク周波数帯域である。いくつかの実施形態では、周波数帯域、たとえば周波数帯域ｆ１１３８は、ＴＤＤ方式においてアップリンクとダウンリンクの両方に使用される。いくつかの実施形態では、周波数帯域、たとえば周波数帯域ｆ１１３８は、アップリンクに使用されるＦＤＤ部分と、ダウンリンクに使用されるＦＤＤ部分とを含む。第１の周波数帯域ｆ１１３８は、それぞれセル（１１４、１１６、１１８）の第１のセクタ（１２０、１２６、１３２）においてＷＡＮシグナリングに使用される。第２の周波数帯域ｆ２１４０は、それぞれセル（１１４、１１６、１１８）の第２のセクタ（１２２、１２８、１３４）においてＷＡＮシグナリングに使用される。第３の周波数帯域ｆ３１４２は、それぞれセル（１１４、１１６、１１８）の第３のセクタ（１２４、１３０、１３６）においてＷＡＮシグナリングに使用される。
【００１１】
基地局（１０８、１１０、１１２）は、互いに結合され、バックホールを介して他のネットワークノードおよび／またはインターネットに結合される。例示的なシステム１０２は、それぞれネットワークリンク（１７４、１７６、１７８）を介して基地局（１０８、１１０、１１２）に結合されたネットワークノード１７２を含む。ネットワークノード１７２はまた、ネットワークリンク１８０を介して、他のネットワークノード、たとえば、他の基地局、ＡＡＡノード、ホームエージェントノードなど、および／またはインターネットに結合される。ネットワークリンク（１７４、１７６、１７８、１８０）は、たとえば、光ファイバリンクである。
【００１２】
例示的な通信システム１０２は、複数のワイドエリアネットワークワイヤレス端末（ＭＮ１  １４４、ＭＮ２  １４６、ＭＮ３  １４８、およびＭＮ４  １５０）を含む。ＭＮ１  １４４は、ワイヤレスリンク１５２を介して基地局３のセクタ２の接続ポイントに結合される。ＭＮ２  １４６は、ワイヤレスリンク１５４を介して基地局１のセクタ１の接続ポイントに結合される。ＭＮ３  １４８は、ワイヤレスリンク１５６を介して基地局３のセクタ１の接続ポイントに結合される。ＭＮ４  １５０は、ワイヤレスリンク１５８を介して基地局１のセクタ３の接続ポイントに結合される。ＭＮ１  １４４は、たとえば、ＭＮ２  １４６との通信セッションに関与している。ＭＮ３  １４８は、たとえば、ＭＮ４  １５０との通信セッションに関与している。
【００１３】
例示的なワイヤレス通信システム１０２はまた、複数のピアツーピアワイヤレス端末（ピアツーピアワイヤレス端末１  １６０、ピアツーピアワイヤレス端末２  １６２、ピアツーピアワイヤレス端末３  １６４、ピアツーピアワイヤレス端末４  １６６）を含む。この例では、ピアツーピアデバイス１  １６０は、ワイヤレスリンク１６８を介してピアツーピア通信セッションでピアツーピアデバイス２  １６２と通信しており、ピアツーピアデバイス（１６０、１６２）は両方ともセル２  １１６のセクタ２  １２８に位置する。この例では、ピアツーピアデバイス３  １６４は、ワイヤレスリンク１７０を介してピアツーピア通信セッションでピアツーピアデバイス４  １６６と通信しており、ピアツーピアデバイス（１６４、１６６）は両方ともセル３  １１８のセクタ３  １３６に位置する。
【００１４】
表１０６は、例示的な現在のワイヤレス端末の周波数帯域の使用を特定する。第１の列１８２はワイヤレス端末を特定し、第２の列１８４は、対応する周波数帯域の使用を特定する。ＭＮ１  １４４は、現在、周波数帯域ｆ２を使用している。ＭＮ２  １４６は、現在、周波数帯域ｆ１を使用している。ＭＮ３  １４８は、現在、周波数帯域ｆ１を使用している。ＭＮ４  １５０は、現在、周波数帯域ｆ３を使用している。ピアツーピアワイヤレス端末１  １６０およびピアツーピアワイヤレス端末２  １６２は、現在、周波数帯域ｆ１と周波数帯域ｆ３とのうちの１つを使用している。周波数帯域の選択、たとえば、ｆ１帯域とｆ３帯域のどちらをピアツーピアシグナリングに使用すべきかの選択は、基地局に対するチャネル利得情報に応じて選択されている。ピアツーピアワイヤレス端末３  １６４およびピアツーピアワイヤレス端末４  １６６は、現在、周波数帯域ｆ１と周波数帯域ｆ２とのうちの１つを使用している。周波数帯域の選択、たとえば、ｆ１帯域とｆ２帯域のどちらをピアツーピアシグナリングに使用すべきかの選択は、基地局に対するチャネル利得情報に応じて選択されている。
【００１５】
図２は、基準信号（２０４、２０６、２０８）をそれぞれ送信する複数のセクタ化された基地局（１０８、１１０、１１２）と、それらの基準信号（２０４、２０６、２０８）を受信し、測定する例示的なピアツーピアワイヤレス端末２０２とを含む図２００である。いくつかの実施形態では、基準信号（２０４、２０６、２０８）は、基地局ビーコン信号と基地局パイロットチャネル信号とのうちの１つである。ピアツーピアワイヤレス端末２０２は、信号測定に応じてピアツーピア通信に使用すべき周波数を選択し、たとえば、最も小さいチャネル利得に対応する周波数帯域を選択する。
【００１６】
図２はまた、様々な実施形態によるピアツーピア通信デバイスを動作させる例示的な方法のフローチャート２５０を含む。動作はステップ２５２で開始し、ピアツーピア通信デバイスが電源投入され、初期化される。動作はステップ２５２からステップ２５４に進む。ステップ２５４で、ピアツーピア通信デバイスは、様々な周波数帯域に対応する基地局基準信号の受信電力レベルを測定する。いくつかの実施形態では、ステップ２５４はサブステップ２５６、２５８および２６０を含む。サブステップ２５６で、ピアツーピア通信デバイスは、第１の周波数、たとえば、周波数ｆ１に対応する第１の基地局からの基準信号、たとえば、基地局１  １０８からの基準信号の受信電力レベルを測定する。たとえば、サブステップ２５６で測定される信号は、信号２０４である。サブステップ２５８で、ピアツーピア通信デバイスは、第２の周波数、たとえば、周波数ｆ２に対応する第２の基地局からの基準信号、たとえば、基地局２  １１０からの基準信号の受信電力レベルを測定する。たとえば、サブステップ２５８で測定される信号は、信号２０６である。サブステップ２６０で、ピアツーピア通信デバイスは、第３の周波数、たとえば、周波数ｆ３に対応する第３の基地局からの基準信号、たとえば、基地局３  １１２からの基準信号の受信電力レベルを測定する。たとえば、サブステップ２６０で測定される信号は、信号２０８である。動作はステップ２５４からステップ２６２に進む。
【００１７】
ステップ２６２で、ピアツーピアワイヤレス通信デバイスは、測定された電力レベル情報に応じて使用すべき周波数を選択する。いくつかの実施形態では、ステップ２６２はサブステップ２６４および２６６を含む。サブステップ２６４で、ピアツーピア通信デバイスは、最も小さいチャネル利得を判断し、たとえば、どの受信基地局の基準信号強度が最も低いかを判断する。次いで、サブステップ２６６で、ピアツーピア通信デバイスは、最も小さいチャネル利得に対応する周波数を判断する。たとえば、図２００の例では、ピアツーピアデバイス２０２は基地局１１２から最も離れているので、信号２０８が最低電力レベルで受信されると考える。そのような場合、周波数ｆ３が信号２０８に対応するので、ピアツーピア通信デバイス２０２は、周波数ｆ３を使用することを選択する。
【００１８】
動作はステップ２６２からステップ２６８に進む。ステップ２６８で、ピアツーピア通信デバイスは、ステップ２６２で選択された周波数を使用してピアツーピア信号を伝達、たとえば、送信または受信する。
【００１９】
図３は、ピアツーピアシグナリングをもサポートする、例示的なＦＤＤ  ＷＡＮ通信システムにおける周波数帯域の例示的な対を示す図３００と、例示的な選択基準を含む例示的なピアツーピア関連情報を示す表３５０とを含む図である。水平線３０２は、周波数分割複信アップリンク３０４と周波数分割複信ダウンリンク３０６とを含む周波数を表す。ＦＤＤアップリンク３０４は、それぞれ（周波数ｆ１ＵＬ、周波数ｆ２ＵＬ、周波数ｆ３ＵＬ）に関連する（第１の部分３０８、第２の部分３１０、第３の部分３１２）を含むように区分される。ＦＤＤダウンリンク３０６は、それぞれ（周波数ｆ１ＤＬ、周波数ｆ２ＤＬ、周波数ｆ３ＤＬ）に関連する（第１の部分３１４、第２の部分３１６、第３の部分３１８）を含むように区分される。ｆ１ＵＬに関連するアップリンク帯域３０８とｆ１ＤＬに関連するダウンリンク帯域３１４とは、矢印３２０によって示される第１の対応する対を形成する。ｆ２ＵＬに関連するアップリンク帯域３１０とｆ２ＤＬに関連するダウンリンク帯域３１６とは、矢印３２２によって示される第２の対応する対を形成する。ｆ３ＵＬに関連するアップリンク帯域３１２とｆ３ＤＬに関連するダウンリンク帯域３１８とは、矢印３２４によって示される第３の対応する対を形成する。表３５０は、ピアツーピアシグナリングに使用されるＷＡＮ周波数帯域を示す第１の列３５２と、ピアツーピアワイヤレス端末が帯域選択に使用する測定信号を示す第２の列３５４と、例示的な選択基準を示す第３の列３５６とを含む。
【００２０】
行３５８は、ピアツーピアシグナリングに使用されているＷＡＮ周波数帯域がＷＡＮアップリンク帯域である場合、ピアツーピアワイヤレス端末が帯域選択に使用する測定信号は、ＷＡＮダウンリンク帯域における基地局ブロードキャスト信号、たとえば、基地局ビーコン信号であることを示す。行３５８はさらに、そのようなシナリオの下で、いくつかの実施形態では、ピアツーピアワイヤレス端末は、最も弱い受信ＷＡＮ基地局ブロードキャスト信号、たとえば、最も弱い受信基地局ビーコン信号に対応するアップリンク帯域を選択することを示す。たとえば、ピアツーピアワイヤレス端末は、ダウンリンク帯域（３１４、３１６、３１８）からのブロードキャスト信号、たとえば、ビーコン信号を監視し、受信すると考える。この例を続けると、ピアツーピアワイヤレス端末は、最も弱い受信信号が周波数ｆ２ＤＬ３１６をもつダウンリンク帯域からの信号であると判断すると考える。この例示的な選択基準の下で、ピアツーピアワイヤレス端末は、ｆ２ＵＬ３１０に関連するアップリンク帯域をピアツーピアシグナリング通信に使用することを選択する。
【００２１】
行３６０は、ピアツーピアシグナリングに使用されているＷＡＮ周波数帯域がＷＡＮダウンリンク帯域である場合、ピアツーピアワイヤレス端末が帯域選択に使用する測定信号は、ＷＡＮワイヤレス端末伝送信号、たとえば、アップリンク帯域におけるＷＡＮ移動体ノードのユーザビーコンブロードキャスト信号、アップリンク帯域におけるＷＡＮ移動体ノードの専用制御チャネルアップリンク信号、またはアップリンク帯域におけるＷＡＮ移動体ノードのユーザ逆方向パイロット信号であることを示す。行３６０はさらに、そのようなシナリオの下で、いくつかの実施形態では、ピアツーピアワイヤレス端末は、アップリンク帯域における最も弱い受信ＷＡＮ  ＷＴ伝送信号、たとえば、最も弱い受信されたＷＡＮ移動体ノードのユーザビーコンブロードキャスト信号、アップリンク帯域におけるＷＡＮ移動体ノードの専用制御チャネルアップリンク信号、またはアップリンク帯域におけるＷＡＮ移動体ノードのユーザ逆方向パイロット信号に対応するダウンリンク帯域を選択することを示す。たとえば、ピアツーピアワイヤレス端末は、アップリンク帯域（３０８、３１０、３１２）においてＷＡＮ  ＷＴからの伝送信号、たとえば、ＷＡＮ  ＷＴビーコン信号を監視し、受信すると考える。ピアツーピアＷＴは、帯域（３０８、３１０、３１２）の各々に対応する最も強い受信ＷＡＮ  ＷＴビーコン信号を特定する。次いで、ピアツーピアワイヤレス端末は、それらの信号のうちのどれが最も弱いかを特定する。この例を続けると、ピアツーピアワイヤレス端末は、３つの最も強い信号のうちの最も弱い受信信号が周波数ｆ３ＵＬ３１２をもつアップリンク帯域からの信号であると判断すると考える。この例示的な選択基準の下で、ピアツーピアワイヤレス端末は、ｆ３ＤＬ３１８に関連するダウンリンク帯域をピアツーピアシグナリング通信に使用することを選択する。
【００２２】
図４は、ピアツーピアシグナリングをもサポートする、例示的なＦＤＤ  ＷＡＮ通信システムにおける周波数帯域の例示的な対を示す図４００と、例示的な選択基準を含む例示的なピアツーピア関連情報を示す表４５０とを含む図である。水平線４０２は、周波数分割複信アップリンク４０４と周波数分割複信ダウンリンク４０６とを含む周波数を表す。ＦＤＤアップリンク４０４は、それぞれ（周波数ｆ１ＵＬ、周波数ｆ２ＵＬ、周波数ｆ３ＵＬ）に関連する（第１の部分４０８、第２の部分４１０、第３の部分４１２）を含むように区分される。ＦＤＤダウンリンク４０６は、それぞれ（周波数ｆ１ＤＬ、周波数ｆ２ＤＬ、周波数ｆ３ＤＬ）に関連する（第１の部分４１４、第２の部分４１６、第３の部分４１８）を含むように区分される。ｆ１ＵＬに関連するアップリンク帯域４０８とｆ１ＤＬに関連するダウンリンク帯域４１４とは、矢印４２０によって示される第１の対応する対を形成する。ｆ２ＵＬに関連するアップリンク帯域４１０とｆ２ＤＬに関連するダウンリンク帯域４１６とは、矢印４２２によって示される第２の対応する対を形成する。ｆ３ＵＬに関連するアップリンク帯域４１２とｆ３ＤＬに関連するダウンリンク帯域４１８とは、矢印４２４によって示される第３の対応する対を形成する。表４５０は、ピアツーピアシグナリングに使用されるＷＡＮ周波数帯域を示す第１の列４５２と、ピアツーピアワイヤレス端末が帯域選択に使用する測定値を示す第２の列４５４と、例示的な選択基準を示す第３の列４５６とを含む。
【００２３】
行４５８は、ピアツーピアシグナリングに使用されているＷＡＮ周波数帯域がＷＡＮアップリンク帯域である場合、ピアツーピアワイヤレス端末が帯域選択に使用する測定値は、アップリンク帯域におけるＷＡＮ  ＷＴからの干渉であることを示す。行４５８はさらに、そのようなシナリオの下で、いくつかの実施形態では、ピアツーピアワイヤレス端末は、最低干渉レベルに対応するアップリンク帯域を選択することを示す。たとえば、ピアツーピアワイヤレス端末は、アップリンク帯域（４０８、４１０、４１２）の各々においてＷＡＮ  ＷＴからのアップリンク信号を監視し、受信し、受信されたＷＡＮ  ＷＴアップリンク信号は、ピアツーピアシグナリングのために同じアップリンク帯域を使用することを望むピアツーピアワイヤレス端末の観点から干渉を表すと考える。この例を続けると、ピアツーピアワイヤレス端末は、最低干渉レベルが周波数ｆ１ＵＬ４０８をもつアップリンク帯域からの干渉であると判断し、この例示的な選択基準の下で、ピアツーピアワイヤレス端末は、ｆ１ＵＬ４０８に関連するアップリンク帯域をピアツーピアシグナリング通信に使用することを選択すると考える。
【００２４】
行４６０は、ピアツーピアシグナリングに使用されているＷＡＮ周波数帯域がＷＡＮダウンリンク帯域である場合、ピアツーピアワイヤレス端末が帯域選択に使用する測定値は、ダウンリンク帯域におけるＷＡＮ基地局からの干渉測定値であることを示す。行４６０はさらに、そのようなシナリオの下で、いくつかの実施形態では、ピアツーピアワイヤレス端末は、最低干渉レベルに対応するダウンリンク帯域を選択することを示す。たとえば、ピアツーピアワイヤレス端末は、アップリンク帯域（４０８、４１０、４１２）の各々においてＷＡＮ基地局からのダウンリンク信号を監視し、受信し、受信されたＷＡＮ基地局ダウンリンク信号は、ピアツーピアシグナリングのために同じダウンリンク帯域を使用することを望むピアツーピアワイヤレス端末の観点から干渉を表すと考える。この例を続けると、ピアツーピアワイヤレス端末は、最低干渉レベルが周波数ｆ２ＤＬ４１６をもつダウンリンク帯域からの干渉であると判断すると考える。この例示的な選択基準の下で、ピアツーピアワイヤレス端末は、ｆ２ＤＬ４１６に関連するダウンリンク帯域をピアツーピアシグナリング通信に使用することを選択する。
【００２５】
図３の例の手法は、ピアツーピア帯域がＷＡＮシグナリングへの影響を最小限に抑えるように、たとえば、ワイドエリアネットワークシグナリングの受信および復元への影響を最小限に抑えるように選択され、ＷＡＮ通信デバイスに有利であることに留意されたい。代替として、図４の例の手法はピアツーピア通信デバイスに有利であり、ピアツーピア帯域は、ピアツーピアシグナリングの受信および復元への影響を最小限に抑えるように選択される。図５は、図３と図４の両方によって表される特徴を組み込んだ例示的な実施形態を示す。
【００２６】
図５は、ピアツーピアシグナリングをもサポートする、例示的なＦＤＤ  ＷＡＮ通信システムにおける周波数帯域の例示的な対を示す図５００と、例示的な選択基準を含む例示的なピアツーピア関連情報を示す表５５０とを含む図である。水平線５０２は、周波数分割複信アップリンク５０４と周波数分割複信ダウンリンク５０６とを含む周波数を表す。ＦＤＤアップリンク５０４は、それぞれ（周波数ｆ１ＵＬ、周波数ｆ２ＵＬ、周波数ｆ３ＵＬ）に関連する（第１の部分５０８、第２の部分５１０、第３の部分５１２）を含むように区分される。ＦＤＤダウンリンク５０６は、それぞれ（周波数ｆ１ＤＬ、周波数ｆ２ＤＬ、周波数ｆ３ＤＬ）に関連する（第１の部分５１４、第２の部分５１６、第３の部分５１８）を含むように区分される。ｆ１ＵＬに関連するアップリンク帯域５０８とｆ１ＤＬに関連するダウンリンク帯域５１４とは、矢印５２０によって示される第１の対応する対を形成する。ｆ２ＵＬに関連するアップリンク帯域５１０とｆ２ＤＬに関連するダウンリンク帯域５１６とは、矢印５２２によって示される第２の対応する対を形成する。ｆ３ＵＬに関連するアップリンク帯域５１２とｆ３ＤＬに関連するダウンリンク帯域５１８とは、矢印５２４によって示される第３の対応する対を形成する。表５５０は、ピアツーピアシグナリングに使用されるＷＡＮ周波数帯域を示す第１の列５５２と、ピアツーピアワイヤレス端末が帯域選択に使用する測定値を示す第２の列５５４と、例示的な選択基準を示す第３の列５５６とを含む。
【００２７】
行５５８は、ピアツーピアシグナリングに使用されているＷＡＮ周波数帯域がＷＡＮアップリンク帯域である場合、ピアツーピアワイヤレス端末が帯域選択に使用する測定値は、（ｉ）ＷＡＮダウンリンク帯域における基地局ブロードキャスト信号、たとえば、基地局ビーコン信号の測定値、および（ｉｉ）アップリンクにおけるＷＡＮ  ＷＴからの干渉の測定値であることを示す。行５５８はさらに、そのようなシナリオの下で、いくつかの実施形態では、ピアツーピアワイヤレス端末は、受信された基地局ブロードキャスト信号の電力測定値と、ＷＡＮ  ＷＴから送信された信号に対応するピアツーピアデバイスの観点からの干渉測定値とに応じてアップリンク帯域を選択することを示す。
【００２８】
行５６０は、ピアツーピアシグナリングに使用されているＷＡＮ周波数帯域がＷＡＮダウンリンク帯域である場合、ピアツーピアワイヤレス端末が帯域選択に使用する測定値は、（ｉ）アップリンクにおけるＷＡＮ  ＷＴ伝送信号の測定値、たとえば、受信されたＷＡＮ移動体ノードのユーザビーコン信号の測定値、または受信されたＷＡＮ移動体ノードの専用制御チャネルアップリンク信号の測定値、または受信された逆方向リンクパイロットチャネル信号の測定値、および（ｉｉ）ダウンリンク帯域におけるＷＡＮ  ＢＳからの干渉の測定値であることを示す。行５６０はさらに、そのようなシナリオの下で、いくつかの実施形態では、ピアツーピアワイヤレス端末は、ＷＡＮ  ＷＴからの受信された伝送信号の電力測定値と、ピアツーピアワイヤレス端末の観点からのＷＡＮ基地局からの干渉の測定値とに応じてダウンリンク帯域を選択する。
【００２９】
いくつかの実施形態では、列５５６の選択基準を使用する通信帯域の選択への相対的な重み付けまたは影響は、ピアツーピアワイヤレス端末のユーザ、優先度レベル、および階層サービスレベルのうちの少なくとも１つに応じて変化する。たとえば、ピアツーピアワイヤレス端末のユーザが通常のピアツーピアユーザである場合、いくつかの実施形態では、ＷＡＮワイヤレス通信が有利であり、ＷＡＮ信号受信への影響は高い優先度を有する。たとえば、アップリンク帯域選択の場合、ＷＡＮ  ＷＴシグナリングが発生している干渉からの測定値よりも、基地局ブロードキャスト信号からの受信電力測定値の考慮に、より高い重み付けが与えられる。別の例として、ピアツーピアワイヤレス端末のユーザが高優先度ユーザ、たとえば、緊急サービスユーザである場合、ＷＡＮシグナリング通信に影響を及ぼす、ピアツーピアデバイスが発生している干渉に対してよりも、ピアツーピア通信に影響を及ぼす、受けている干渉の考慮に、より高い重み付けが与えられる。たとえば、アップリンク帯域選択の場合、受信された基地局シグナリングの電力測定値よりも、アップリンク帯域におけるＷＡＮ  ＷＴからの測定された干渉に、より高い重み付けが与えられる。
【００３０】
図６は、異なるセルが異なるＴＤＤ複信帯域を使用し、エアリンクリソースの少なくとも一部がＷＡＮとピアツーピア通信との間で共有される、時分割複信システムにおける例示的な通信帯域を示す図６００である。水平軸６０２は時間を示す。ブロック６０４は、例示的なセル１が周波数ｆ１によって特定される第１の通信帯域を使用することを示す。ブロック６０６は、例示的なセル２が周波数ｆ２によって特定される第２の通信帯域を使用することを示す。この例では、帯域６０４と帯域６０６とは重なり合わない。周波数ｆ１とセル１とに関連するＴＤＤ周波数帯域６０４に対応して、アップリンクおよびダウンリンクタイムスロット（アップリンクスロット６０８、ダウンリンクスロット６１０、アップリンクスロット６１２、ダウンリンクスロット６１４、．．．）のシーケンスがある。矢印６１５は、同じＴＤＤ周波数帯域６０４がセル１のためのアップリンクとダウンリンクの両方に使用されるが、異なる時間に対応することを示す。周波数ｆ２とセル２とに関連するＴＤＤ周波数帯域６０６に対応して、アップリンクおよびダウンリンクタイムスロット（アップリンクスロット６１６、ダウンリンクスロット６１８、アップリンクスロット６２０、ダウンリンクスロット６２２、．．．）のシーケンスがある。矢印６２４は、同じＴＤＤ周波数帯域６０６がセル２のためのアップリンクとダウンリンクの両方に使用されるが、異なる時間に対応することを示す。
【００３１】
図７は、異なるセルが同じＴＤＤ帯域を異なる時間に使用し、エアリンクリソースの少なくとも一部がＷＡＮとピアツーピア通信との間で共有される、時分割複信システムにおける例示的な通信帯域を示す図７００である。水平軸７０２は時間を示す。ブロック７０４は、周波数ｆ１によって特定される第１の通信帯域を示す。ブロック７０６は、周波数ｆ２によって特定される第２の通信帯域を示す。この例では、帯域６０４と帯域６０６とは重なり合わない。周波数ｆ１によって特定される周波数帯域７０４では、様々なタイムスロットに対応するエアリンクリソース（タイムスロットＴ１用のリソース７０８、タイムスロットＴ２用のリソース７１０、タイムスロットＴ３用のリソース７１２、タイムスロットＴ４用のリソース７１４）のシーケンスがある。このパターンは、タイムスロットＴ１用のリソース７１６、タイムスロットＴ２用のリソース７１８、タイムスロットＴ３用のリソース７２０、タイムスロットＴ４用のリソース７２２のシーケンスによって示されるように繰り返す。周波数ｆ２によって特定される周波数帯域７０６では、様々なタイムスロットに対応するエアリンクリソース（タイムスロットＴ１用のリソース７２８、タイムスロットＴ２用のリソース７３０、タイムスロットＴ３用のリソース７３２、タイムスロットＴ４用のリソース７３４）のシーケンスがある。このパターンは、タイムスロットＴ１用のリソース７３６、タイムスロットＴ２用のリソース７３８、タイムスロットＴ３用のリソース７４０、タイムスロットＴ４用のリソース７４２のシーケンスによって示されるように繰り返す。
【００３２】
この例では、Ｔ１およびＴ２で示されたスロットは、矢印７４８によって示されるＷＡＮアップリンクに使用され、Ｔ３およびＴ４で示されたスロットは、矢印７５０によって示されるＷＡＮダウンリンクに使用される。矢印７５２は、タイムスロットＴ１が、両方の周波数帯域（７０４、７０６）との組合せでセル１のアップリンクＷＡＮ通信帯域を表すことを特定する。矢印７５４は、タイムスロットＴ２が、両方の周波数帯域（７０４、７０６）との組合せでセル２のアップリンクＷＡＮ通信帯域を表すことを特定する。矢印７５６は、タイムスロットＴ３が、両方の周波数帯域（７０４、７０６）との組合せでセル１のダウンリンクＷＡＮ通信帯域を表すことを特定する。矢印７５８は、タイムスロットＴ４が、両方の周波数帯域（７０４、７０６）との組合せでセル２のダウンリンクＷＡＮ通信帯域を表すことを特定する。矢印７２４は、エアリンクリソース７０８および７１２の両方が、ＴＤＤ帯域７０４を使用する、セル１のためのアップリンク／ダウンリンクの対応する対を形成することを示す。矢印７２６は、エアリンクリソース７１０および７１４の両方が、ＴＤＤ帯域７０４を使用する、セル２のためのアップリンク／ダウンリンクの対応する対を形成することを示す。矢印７４４は、エアリンクリソース７２８および７３２の両方が、ＴＤＤ帯域７０６を使用する、セル１のためのアップリンク／ダウンリンクの対応する対を形成することを示す。矢印７４６は、エアリンクリソース７３０および７３４の両方が、ＴＤＤ帯域７０６を使用する、セル２のためのアップリンク／ダウンリンクの対応する対を形成することを示す。
【００３３】
図８は、同じ周波数帯域が複数のアップリンク／ダウンリンク帯域に対応し、エアリンクリソースの少なくとも一部がピアツーピア通信と共有される、ＴＤＤ  ＷＡＮシステムにおける例示的な周波数帯域を示す図８００である。水平軸８０２は時間を表す。周波数ｆ１に関連する周波数帯域８０４は、（タイムスロットＴ１中のエアリンクリソース８０６、タイムスロットＴ２中のエアリンクリソース８０８、タイムスロットＴ３中のエアリンクリソース８１０、タイムスロットＴ４中のエアリンクリソース８１２、タイムスロットＴ５中のエアリンクリソース８１４、タイムスロットＴ６中のエアリンクリソース８１６、タイムスロットＴ１中のエアリンクリソース８１８、タイムスロットＴ２中のエアリンクリソース８２０、タイムスロットＴ３中のエアリンクリソース８２２、タイムスロットＴ４中のエアリンクリソース８２４、タイムスロットＴ５中のエアリンクリソース８２６、タイムスロットＴ６中のエアリンクリソース８２８、．．．）に対応する。アップリンク帯域１は、記号インジケータ８３０によって示されるＴ１で示されたタイムスロット中にＴＤＤ周波数帯域８０４に対応する。ダウンリンク帯域１は、記号インジケータ８３２によって示されるＴ４で示されたタイムスロット中にＴＤＤ周波数帯域８０４に対応する。アップリンク帯域１とダウンリンク帯域１とは、矢印８３４によって示される第１の対応する組を形成する。アップリンク帯域２は、記号インジケータ８３６によって示されるＴ２で示されたタイムスロット中にＴＤＤ周波数帯域８０４に対応する。ダウンリンク帯域２は、記号インジケータ８３８によって示されるＴ５で示されたタイムスロット中にＴＤＤ周波数帯域８０４に対応する。アップリンク帯域２とダウンリンク帯域２とは、矢印８４０によって示される第２の対応する組を形成する。アップリンク帯域３は、記号インジケータ８４２によって示されるＴ３で示されたタイムスロット中にＴＤＤ周波数帯域８０４に対応する。ダウンリンク帯域３は、記号インジケータ８４４によって示されるＴ６で示されたタイムスロット中にＴＤＤ周波数帯域８４４に対応する。アップリンク帯域３とダウンリンク帯域３とは、矢印８４６によって示される第３の対応する組を形成する。
【００３４】
図９は、様々な実施形態によるＷＡＮシグナリングとピアツーピアシグナリングとをサポートする例示的な通信システム９００の図である。例示的な通信システム９００は、互いに結合され、バックホールネットワーク９１４を介して他のネットワークノード、たとえば、他の基地局、ホームエージェントノード、システム制御ノード、ＡＡＡノードなど、および／またはインターネットに結合される複数の基地局（ＢＳ１  ９０２、ＢＳ２  ９０４、ＢＳ３  ９０６、ＢＳ４  ９０８、ＢＳ５  ９１０、ＢＳ６  ９１２）を含む。例示的な通信システム９００はまた、複数のＷＡＮワイヤレス端末、たとえば、移動体ＷＡＮ  ＷＴ（ＷＡＮ  ＷＴ１  ９１６、ＷＡＮ  ＷＴ２  ９２０）、および複数のピアツーピアワイヤレス端末、たとえば、移動体ピアツーピアＷＴ（Ｐ−Ｐ  ＷＴ１  ９２４、Ｐ−Ｐ  ＷＴ２  ９２６）を含む。ＷＡＮ  ＷＴ１  ９１６は、現在、ワイヤレスリンク９１８を介してＢＳ１  ９０２に結合されており、ＷＡＮ  ＷＴ２  ９２０は、現在、ワイヤレスリンク９２２を介してＢＳ６  ９１２の接続ポイントに結合されている。Ｐ−Ｐワイヤレス端末１  ９２４は、ピアツーピア通信リンク９２８を介してＰ−Ｐワイヤレス端末２  ９２６と通信している。ＷＡＮデバイス、たとえば、基地局および／またはＷＡＮ  ＷＴからの受信シグナリングは、いくつかの実施形態では、たとえば、ピアツーピアシグナリングに使用すべき帯域選択に関して、ピアツーピアワイヤレス端末（９２４、９２６）の動作に影響を及ぼす。例示的なＧＰＳ衛星（９３０、９３２）も示されている。いくつかの実施形態では、受信ＧＰＳ信号は、ピアツーピアワイヤレス端末（９２４、９２６）の動作、たとえば、ピアツーピアワイヤレス端末が、受信信号からロケーションを決定し、ロケーション情報を使用して、記憶されたマッピング情報からピアツーピアシグナリングに使用するように指定された帯域を判断することに影響を及ぼす。指定された帯域は、ＷＡＮシグナリングの使用とピアツーピアシグナリングの使用との間で共有でき、時々、共有される帯域である。
【００３５】
例示的な基地局１  ９０２は、アップリンクＷＡＮ通信帯域とダウンリンクＷＡＮ通信帯域とをサポートする単一セクタ基地局である。例示的な基地局２  ９０４は、複数のアップリンク／ダウンリンクＷＡＮ通信帯域の対をサポートする単一セクタ基地局であり、異なるダウンリンク帯域が同じまたは実質的に同じ電力基準レベルに対応する。例示的な基地局３  ９０６は、複数のアップリンク／ダウンリンクＷＡＮ通信帯域の対をサポートする単一セクタ基地局であり、異なるダウンリンク帯域が異なる電力基準レベルに対応する。
【００３６】
例示的な基地局４  ９０８は、少なくとも２つのセクタにおいてアップリンク通信帯域／ダウンリンクＷＡＮ通信帯域の対をサポートするマルチセクタ基地局である。例示的な基地局５  ９１０は、少なくとも２つのセクタにおいて複数のアップリンク／ダウンリンクＷＡＮ通信帯域の対をサポートするマルチセクタ基地局であり、異なるダウンリンク帯域が同じまたは実質的に同じ電力基準レベルに対応する。例示的な基地局６  ９１２は、少なくとも２つのセクタにおいて複数のアップリンク／ダウンリンクＷＡＮ通信帯域の対をサポートするマルチセクタ基地局であり、異なるダウンリンク帯域が異なる電力基準レベルに対応する。
【００３７】
いくつかの実施形態では、基地局の各々はＷＡＮ  ＦＤＤ実装形態を使用する。いくつかの実施形態では、基地局の各々はＷＡＮ  ＦＤＤ実装形態を使用する。いくつかの実施形態では、通信システムの一部分はＷＡＮ  ＦＤＤを使用し、通信システムの他の部分はＷＡＮ  ＴＤＤを使用する。
【００３８】
ピアツーピアワイヤレス端末（９２４、９２６）は、図１０、図１１、図１２、図１３、図１４、および図１５のフローチャートで説明する方法の一部または全部、あるいは他の説明した方法、たとえば、図１、図２、図３、図４、図５、図６、または図７に関して説明した方法のいずれかを実施することができる。ピアツーピアワイヤレス端末（９２４、９２６）は、図１、図２、図１７、図１８、または図１９のピアツーピアワイヤレス端末のいずれかとすることができる。
【００３９】
図１０は、様々な実施形態によるピアツーピア通信をサポートする通信デバイスを動作させる例示的な方法のフローチャート１０００である。動作はステップ１００２で開始し、通信デバイスが電源投入され、初期化され、ステップ１００４に進む。ステップ１００４で、通信デバイスは、複数のＷＡＮ通信帯域のうちの１つにおいてワイドエリアネットワーク（ＷＡＮ）デバイスによって送信された信号をＷＡＮ通信デバイスから受信する。動作はステップ１００４からステップ１００６に進む。
【００４０】
ステップ１００６で、通信デバイスは、受信信号から通信情報を復元するために上記受信信号を復号する。いくつかの実施形態では、復元された通信情報は、ｉ）信号の受信元であるＷＡＮデバイスのセクタによって使用されていない帯域と、ｉｉ）信号の受信元であり、信号がセクタにおいて複数のＷＡＮ周波数帯域のうちの他の帯域に対して低減された電力レベルで受信されたＷＡＮデバイスの上記セクタによって使用される帯域とのうちの１つである、上記複数の通信帯域のうちの１つを示す。いくつかのそのような実施形態では、ＷＡＮデバイスはマルチセクタ基地局である。いくつかの他のそのような実施形態では、ＷＡＮデバイスは単一セクタ基地局であり、上記セクタは上記単一セクタ基地局の単一セクタである。
【００４１】
次いで、ステップ１００８で、通信デバイスは、受信信号に基づいてピアツーピア通信のためのＷＡＮ通信帯域のうちの１つを選択する。ステップ１００８はサブステップ１０１０を含む。サブステップ１０１０で、通信デバイスは、上記複数のＷＡＮ通信帯域間で選択するために、復元された通信情報を使用する。いくつかの実施形態では、ＷＡＮ帯域を選択することは、上記情報によって示されるＷＡＮ通信帯域を選択することを示す。いくつかの実施形態では、選択された通信帯域は、受信信号の受信元である通信帯域とは異なる。
【００４２】
動作はステップ１００８からステップ１０１２に進む。ステップ１０１２で、通信デバイスは、ＷＡＮ通信帯域のうちの選択された１つにおいてピアツーピア信号を送信する。
【００４３】
いくつかの実施形態では、複数のＷＡＮ通信帯域は周波数分割複信（ＦＤＤ）帯域であり、ＷＡＮ信号の受信元である通信帯域はＷＡＮダウンリンク通信帯域である。いくつかのそのような実施形態では、選択された通信帯域はＷＡＮアップリンク通信帯域である。
【００４４】
いくつかの他の実施形態では、複数のＷＡＮ通信帯域は時分割複信（ＴＤＤ）通信帯域であり、信号の受信元であるＷＡＮ通信帯域はダウンリンク通信帯域内のタイムスロットで受信される。いくつかのそのような実施形態では、選択された通信帯域はアップリンク帯域であり、上記ピアツーピア信号は上記アップリンク通信帯域のアップリンクタイムスロットで伝達され、アップリンク通信帯域とダウンリンク通信帯域は異なる時間に同じ周波数を使用する。
【００４５】
いくつかの実施形態では、ＷＡＮ信号の受信元であるデバイスは、周波数分割複信マルチセル通信システムにおけるＷＡＮ通信デバイスであり、少なくとも１つの通信帯域は所与の時間に少なくとも１つのセルのセクタによって使用されていない。いくつかの実施形態では、ＷＡＮ信号の受信元であるデバイスは、周波数分割複信マルチセル通信システムにおけるＷＡＮ通信デバイスであり、複数の通信帯域を同時に使用するセルの少なくとも１つのセクタにおいて、通信帯域のうちの１つは、上記セクタにおいて使用されている通信帯域のうちの別の通信帯域に対して低減された電力レベルで使用される。いくつかの実施形態では、ＷＡＮの受信元であるデバイスは、上記ＷＡＮ通信帯域のサブセットのみを使用するＷＡＮ通信デバイスであり、上記サブセットは複数のＷＡＮ通信帯域全てよりも少ない帯域を含む。
【００４６】
図１１は、様々な実施形態によるピアツーピア通信をサポートする通信デバイスを動作させる例示的な方法のフローチャート１１００である。動作はステップ１１０２で開始し、通信デバイスが電源投入され、初期化され、ステップ１１０４に進む。
【００４７】
ステップ１１０４で、通信デバイスは、複数のＷＡＮ通信帯域のうちの１つにおいてワイドエリアネットワーク（ＷＡＮ）デバイスによって送信された信号をＷＡＮ通信デバイスから受信する。動作はステップ１１０４からステップ１１０６に進む。ステップ１１０６で、通信デバイスは受信信号の信号強度を測定する。
【００４８】
次いで、ステップ１００８で、通信デバイスは、受信信号に基づいてピアツーピア通信のためのＷＡＮ通信帯域のうちの１つを選択する。ステップ１１０８はサブステップ１０１０を含む。サブステップ１０１０で、通信デバイスは、測定信号強度に応じて上記選択を実行する。サブステップ１１１０はサブステップ１１１２および１１１４を含む。ステップ１１１２で、通信デバイスは測定信号強度をしきい値と比較する。動作はサブステップ１１１２からサブステップ１１１４に進む。サブステップ１１１４で、通信デバイスは、上記信号強度が上記しきい値を下回る場合、上記信号の受信元である帯域に対応し、信号の受信元である帯域とは異なる通信帯域を選択する。いくつかの実施形態では、受信信号はＷＡＮ基地局からの信号であり、信号の受信元である通信帯域はダウンリンク通信帯域であり、選択された通信帯域は、上記ダウンリンク通信帯域に対応するアップリンク通信帯域である。
【００４９】
動作はステップ１１０８からステップ１１１６に進む。ステップ１１１６で、通信デバイスは、ＷＡＮ通信帯域のうちの選択された１つにおいてピアツーピア信号を送信する。
【００５０】
いくつかのそのような実施形態では、ＷＡＮデバイスはマルチセクタ基地局である。いくつかの他のそのような実施形態では、ＷＡＮデバイスは単一セクタ基地局である。
【００５１】
いくつかの実施形態では、複数のＷＡＮ通信帯域は周波数分割複信（ＦＤＤ）帯域であり、ＷＡＮ信号の受信元である通信帯域はＷＡＮダウンリンク通信帯域である。いくつかのそのような実施形態では、選択された通信帯域はＷＡＮアップリンク通信帯域である。
【００５２】
いくつかの他の実施形態では、複数のＷＡＮ通信帯域は時分割複信（ＴＤＤ）通信帯域であり、信号の受信元であるＷＡＮ通信帯域はダウンリンク通信帯域内のタイムスロットで受信される。いくつかのそのような実施形態では、選択された通信帯域はアップリンク帯域であり、上記ピアツーピア信号は上記アップリンク通信帯域のアップリンクタイムスロットで伝達され、アップリンク通信帯域とダウンリンク通信帯域は異なる時間に同じ周波数を使用する。
【００５３】
いくつかの実施形態では、ＷＡＮ信号の受信元であるデバイスは、周波数分割複信マルチセル通信システムにおけるＷＡＮ通信デバイスであり、少なくとも１つの通信帯域は所与の時間に少なくとも１つのセルのセクタによって使用されていない。いくつかの実施形態では、ＷＡＮ信号の受信元であるデバイスは、周波数分割複信マルチセル通信システムにおけるＷＡＮ通信デバイスであり、複数の通信帯域を同時に使用するセルの少なくとも１つのセクタにおいて、通信帯域のうちの１つは、上記セクタにおいて使用されている通信帯域のうちの別の通信帯域に対して低減された電力レベルで使用される。いくつかの実施形態では、ＷＡＮの受信元であるデバイスは、上記ＷＡＮ通信帯域のサブセットのみを使用するＷＡＮ通信デバイスであり、上記サブセットは複数のＷＡＮ通信帯域全てよりも少ない帯域を含む。
【００５４】
図１２は、様々な実施形態によるピアツーピア通信をサポートする通信デバイスを動作させる例示的な方法のフローチャート１２００である。動作はステップ１２０２で開始し、通信デバイスが電源投入され、初期化され、ステップ１２０４に進む。
【００５５】
ステップ１２０４で、通信デバイスは、複数のワイドエリアネットワーク（ＷＡＮ）通信帯域のうちの１つにおいてＷＡＮデバイスによって送信された信号をＷＡＮ通信デバイスから受信する。動作はステップ１２０４からステップ１２０６に進む。ステップ１２０６で、通信デバイスは受信信号の信号強度を測定する。
【００５６】
次いで、ステップ１２０８で、通信デバイスは、受信信号に基づいてピアツーピア通信のためのＷＡＮ通信帯域のうちの１つを選択する。ステップ１２０８はサブステップ１２１０を含む。サブステップ１２１０で、通信デバイスは、測定信号強度に応じて上記選択を実行する。サブステップ１２１０はサブステップ１２１２および１２１４を含む。ステップ１２１２で、通信デバイスは測定信号強度をしきい値と比較する。動作はサブステップ１２１２からサブステップ１２１４に進む。サブステップ１２１４で、通信デバイスは、信号強度が上記しきい値を上回る場合、信号の受信元である帯域に対応しない複数のＷＡＮ通信帯域から通信帯域を選択する。
【００５７】
動作はステップ１２０８からステップ１２１６に進む。ステップ１２１６で、通信デバイスは、ＷＡＮ通信帯域のうちの選択された１つにおいてピアツーピア信号を送信する。
【００５８】
いくつかのそのような実施形態では、ＷＡＮデバイスはマルチセクタ基地局である。いくつかの他のそのような実施形態では、ＷＡＮデバイスは単一セクタ基地局である。
【００５９】
いくつかの実施形態では、複数のＷＡＮ通信帯域は周波数分割複信（ＦＤＤ）帯域であり、ＷＡＮ信号の受信元である通信帯域はＷＡＮダウンリンク通信帯域である。いくつかのそのような実施形態では、選択された通信帯域はＷＡＮアップリンク通信帯域である。
【００６０】
いくつかの他の実施形態では、複数のＷＡＮ通信帯域は時分割複信（ＴＤＤ）通信帯域であり、信号の受信元であるＷＡＮ通信帯域はダウンリンク通信帯域内のタイムスロットで受信される。いくつかのそのような実施形態では、選択された通信帯域はアップリンク帯域であり、上記ピアツーピア信号は上記アップリンク通信帯域のアップリンクタイムスロットで伝達され、アップリンク通信帯域とダウンリンク通信帯域は異なる時間に同じ周波数を使用する。
【００６１】
いくつかの実施形態では、ＷＡＮ信号の受信元であるデバイスは、周波数分割複信マルチセル通信システムにおけるＷＡＮ通信デバイスであり、少なくとも１つの通信帯域は所与の時間に少なくとも１つのセルのセクタによって使用されていない。いくつかの実施形態では、ＷＡＮ信号の受信元であるデバイスは、周波数分割複信マルチセル通信システムにおけるＷＡＮ通信デバイスであり、複数の通信帯域を同時に使用するセルの少なくとも１つのセクタにおいて、通信帯域のうちの１つは、上記セクタにおいて使用されている通信帯域のうちの別の通信帯域に対して低減された電力レベルで使用される。いくつかの実施形態では、ＷＡＮの受信元であるデバイスは、上記ＷＡＮ通信帯域のサブセットのみを使用するＷＡＮ通信デバイスであり、上記サブセットは複数のＷＡＮ通信帯域全てよりも少ない帯域を含む。
【００６２】
図１３は、様々な実施形態によるピアツーピア通信をサポートする通信デバイスを動作させる例示的な方法のフローチャート１３００である。動作はステップ１３０２で開始し、通信デバイスが電源投入され、初期化され、ステップ１３０４に進む。
【００６３】
ステップ１３０４で、通信デバイスは様々なワイドエリアネットワーク通信帯域から信号を受信する。ステップ１３０４はサブステップ１３０６および１３０８を含む。いくつかの実施形態では、ステップ１３０４は時々サブステップ１３１０を含む。
【００６４】
サブステップ１３０６で、通信デバイスは、上記複数のワイドエリアネットワーク（ＷＡＮ）通信帯域のうちの第１の通信帯域においてＷＡＮデバイスによって送信された信号をＷＡＮ通信デバイスから受信する。サブステップ１３０８で、通信デバイスは、上記第１の通信帯域とは異なる、上記複数のワイドエリアネットワーク（ＷＡＮ）通信帯域のうちの第２の通信帯域において送信された第２の信号をＷＡＮ通信デバイスから受信する。サブステップ１３１０で、通信デバイスは、上記第１および第２の通信帯域とは異なる、上記複数のワイドエリアネットワーク（ＷＡＮ）通信帯域のうちの第３の通信帯域において送信された第３の信号をＷＡＮ通信デバイスから受信する。同じＷＡＮデバイスが上記第１および第２の受信信号を送信していてもよい。代替として、異なるＷＡＮデバイスが上記第１および第２の受信信号を送信していてもよい。同じＷＡＮデバイスが上記第３の受信信号と上記第１および第２の受信信号のうちの少なくとも１つとを送信していてもよい。異なるＷＡＮデバイスが上記第３の受信信号を送信し、次いで上記第１の受信信号を送信していてもよい。異なるＷＡＮデバイスが上記第３の受信信号を送信し、次いで上記第２の受信信号を送信していてもよい。
【００６５】
動作はステップ１３０４からステップ１３１２に進む。ステップ１３１２で、通信デバイスは、様々なＷＡＮ通信帯域から受信されたＷＡＮ通信信号の受信信号強度を測定する。動作はステップ１３１２からステップ１３１４に進む。ステップ１３１４で、通信デバイスは、受信信号に基づいてピアツーピア通信のためのＷＡＮ通信帯域のうちの１つを選択する。ステップ１３１４はサブステップ１３１５を含む。サブステップ１３１５で、通信デバイスは、少なくとも２つの異なる受信信号の測定信号強度に応じて通信帯域を選択する。いくつかの実施形態では、サブステップ１３１５はサブステップ１３１６を含む。サブステップ１３１６で、通信デバイスは、上記測定された受信ＷＡＮ信号のうちの最も弱い信号の受信元である帯域に対応する通信帯域を選択する。動作はステップ１３１４からステップ１３１８に進む。ステップ１３１８で、通信デバイスは、ＷＡＮ通信帯域のうちの選択された１つにおいてピアツーピア信号を送信する。
【００６６】
いくつかのそのような実施形態では、ＷＡＮデバイスのうちの１つまたは複数はマルチセクタ基地局である。いくつかの実施形態では、ＷＡＮデバイスのうちの１つまたは複数は単一セクタ基地局である。
【００６７】
いくつかの実施形態では、複数のＷＡＮ通信帯域は周波数分割複信（ＦＤＤ）帯域であり、ＷＡＮ信号の受信元である通信帯域はＷＡＮダウンリンク通信帯域である。いくつかのそのような実施形態では、選択された通信帯域はＷＡＮアップリンク通信帯域である。
【００６８】
いくつかの他の実施形態では、複数のＷＡＮ通信帯域は時分割複信（ＴＤＤ）通信帯域であり、信号の受信元であるＷＡＮ通信帯域はダウンリンク通信帯域内のタイムスロットで受信される。いくつかのそのような実施形態では、選択された通信帯域はアップリンク帯域であり、上記ピアツーピア信号は上記アップリンク通信帯域のアップリンクタイムスロットで伝達され、アップリンク通信帯域とダウンリンク通信帯域は異なる時間に同じ周波数を使用する。
【００６９】
いくつかの実施形態では、ＷＡＮ信号の受信元であるデバイスは、周波数分割複信マルチセル通信システムにおけるＷＡＮ通信デバイスであり、少なくとも１つの通信帯域は所与の時間に少なくとも１つのセルのセクタによって使用されていない。いくつかの実施形態では、ＷＡＮ信号の受信元であるデバイスは、周波数分割複信マルチセル通信システムにおけるＷＡＮ通信デバイスであり、複数の通信帯域を同時に使用するセルの少なくとも１つのセクタにおいて、通信帯域のうちの１つは、上記セクタにおいて使用されている通信帯域のうちの別の通信帯域に対して低減された電力レベルで使用される。いくつかの実施形態では、ＷＡＮの受信元であるデバイスは、上記ＷＡＮ通信帯域のサブセットのみを使用するＷＡＮ通信デバイスであり、上記サブセットは複数のＷＡＮ通信帯域全てよりも少ない帯域を含む。
【００７０】
図１４は、様々な実施形態によるピアツーピア通信をサポートする通信デバイスを動作させる例示的な方法のフローチャート１４００である。動作はステップ１４０２で開始し、通信デバイスが電源投入され、初期化され、ステップ１４０４に進む。
【００７１】
ステップ１４０４で、通信デバイスは様々なワイドエリアネットワーク通信帯域から信号を受信する。ステップ１４０４はサブステップ１４０６および１４０８を含む。いくつかの実施形態では、ステップ１４０４は時々サブステップ１４１０を含む。
【００７２】
サブステップ１４０６で、通信デバイスは、上記複数のワイドエリアネットワーク（ＷＡＮ）通信帯域のうちの第１の通信帯域においてＷＡＮデバイスによって送信された信号をＷＡＮ通信デバイスから受信する。サブステップ１４０８で、通信デバイスは、上記第１の通信帯域とは異なる、上記複数のワイドエリアネットワーク（ＷＡＮ）通信帯域のうちの第２の通信帯域において送信された第２の信号をＷＡＮ通信デバイスから受信する。サブステップ１４１０で、通信デバイスは、上記第１および第２の通信帯域とは異なる、上記複数のワイドエリアネットワーク（ＷＡＮ）通信帯域のうちの第３の通信帯域において送信された第３の信号をＷＡＮ通信デバイスから受信する。同じＷＡＮデバイスが上記第１および第２の受信信号を送信していてもよい。代替として、異なるＷＡＮデバイスが上記第１および第２の受信信号を送信していてもよい。同じＷＡＮデバイスが上記第３の受信信号と上記第１および第２の受信信号のうちの少なくとも１つとを送信していてもよい。異なるＷＡＮデバイスが上記第３の受信信号を送信し、次いで上記第１の受信信号を送信していてもよい。異なるＷＡＮデバイスが上記第３の受信信号を送信し、次いで上記第２の受信信号を送信していてもよい。
【００７３】
動作はステップ１４０４からステップ１４１２に進む。ステップ１４１２で、通信デバイスは、様々なＷＡＮ通信帯域から受信されたＷＡＮ通信信号の受信信号強度を測定する。動作はステップ１４１２からステップ１４１３に進み、通信デバイスはピアツーピア信号を受信する。次いで、ステップ１４１４で、通信デバイスは、上記測定されたＷＡＮ通信信号のうちの少なくともいくつかの受信元である通信帯域に対応する通信帯域からのピアツーピア信号を測定する。たとえば、いくつかの実施形態では、信号の受信元であるＷＡＮデバイスが基地局であり、受信ＷＡＮ信号がダウンリンク帯域において伝達されるダウンリンク信号である場合、受信ピアツーピア信号は、アップリンク帯域を使用するピアツーピア通信デバイスからの信号であり、上記アップリンク帯域は、上記ダウンリンク帯域に対する対応する帯域である。別の例として、いくつかの実施形態では、信号の受信元であるＷＡＮデバイスがセルラモードを動作させている移動体ノードであり、受信ＷＡＮ信号がアップリンク帯域において伝達されるアップリンク信号である場合、受信ピアツーピア信号は、アップリンクダウンリンクを使用するピアツーピア通信デバイスからの信号であり、上記ダウンリンク帯域は、上記アップリンク帯域に対する対応する帯域である。
【００７４】
動作はステップ１４１４からステップ１４１６に進む。ステップ１４１６で、通信デバイスは、受信信号に基づいてピアツーピア通信のためのＷＡＮ通信帯域のうちの１つを選択する。ステップ１４１６はサブステップ１４１８を含む。サブステップ１４１８で、通信デバイスは、上記受信ＷＡＮ信号の測定信号強度と、少なくともいくつかのピアツーピア信号の測定信号強度とに応じて通信帯域を選択する。動作はステップ１４１６からステップ１４２０に進む。ステップ１４２０で、通信デバイスは、ＷＡＮ通信帯域のうちの選択された１つにおいてピアツーピア信号を送信する。
【００７５】
いくつかのそのような実施形態では、ＷＡＮデバイスのうちの１つまたは複数はマルチセクタ基地局である。いくつかの実施形態では、ＷＡＮデバイスのうちの１つまたは複数は単一セクタ基地局である。
【００７６】
いくつかの実施形態では、複数のＷＡＮ通信帯域は周波数分割複信（ＦＤＤ）帯域であり、ＷＡＮ信号の受信元である通信帯域はＷＡＮダウンリンク通信帯域である。いくつかのそのような実施形態では、選択された通信帯域はＷＡＮアップリンク通信帯域である。
【００７７】
いくつかの他の実施形態では、複数のＷＡＮ通信帯域は時分割複信（ＴＤＤ）通信帯域であり、信号の受信元であるＷＡＮ通信帯域はダウンリンク通信帯域内のタイムスロットで受信される。いくつかのそのような実施形態では、選択された通信帯域はアップリンク帯域であり、上記ピアツーピア信号は上記アップリンク通信帯域のアップリンクタイムスロットで伝達され、アップリンク通信帯域とダウンリンク通信帯域は異なる時間に同じ周波数を使用する。
【００７８】
いくつかの実施形態では、ＷＡＮ信号の受信元であるデバイスは、周波数分割複信マルチセル通信システムにおけるＷＡＮ通信デバイスであり、少なくとも１つの通信帯域は所与の時間に少なくとも１つのセルのセクタによって使用されていない。いくつかの実施形態では、ＷＡＮ信号の受信元であるデバイスは、周波数分割複信マルチセル通信システムにおけるＷＡＮ通信デバイスであり、複数の通信帯域を同時に使用するセルの少なくとも１つのセクタにおいて、通信帯域のうちの１つは、上記セクタにおいて使用されている通信帯域のうちの別の通信帯域に対して低減された電力レベルで使用される。いくつかの実施形態では、ＷＡＮの受信元であるデバイスは、上記ＷＡＮ通信帯域のサブセットのみを使用するＷＡＮ通信デバイスであり、上記サブセットは複数のＷＡＮ通信帯域全てよりも少ない帯域を含む。
【００７９】
図１５は、様々な実施形態によるピアツーピア通信をサポートする通信デバイスを動作させる例示的な方法のフローチャート１５００である。たとえば、この例示的な方法は、複数のワイドエリアネットワーク通信帯域を含むいくつかのワイヤレス通信システムにおいて使用され、複数の通信帯域のうちの少なくともいくつかは、少なくともいくつかの期間中にセルラ通信のための少なくともいくつかの基地局セクタによって利用されていない。動作はステップ１５０２で開始し、通信デバイスが電源投入され、初期化され、ステップ１５０４に進む。ステップ１５０４で、通信デバイスは第１の通信帯域において信号の受信を監視する。動作はステップ１５０４からステップ１５０６に進む。
【００８０】
ステップ１５０６で、通信デバイスは、しきい値レベルを超える信号電力レベルを有する信号が、所定の期間に上記第１の通信帯域から受信されたかどうかを判断する。しきい値レベルを超える信号電力レベルを有する信号が受信された場合、動作はステップ１５０６からステップ１５０８に進む。そうでない場合、動作はステップ１５０６からステップ１５１０に進み、通信デバイスは、ピアツーピア信号を伝達する際に使用するための上記第１の通信帯域に対応する通信帯域を選択する。
【００８１】
ステップ１５０８に戻ると、ステップ１５０８で、通信デバイスは第２の通信帯域において信号の受信を監視する。動作はステップ１５０８からステップ１５１２に進む。
【００８２】
ステップ１５１２で、通信デバイスは、しきい値レベルを超える信号電力レベルを有する信号が、所定の期間に上記第２の通信帯域から受信されたかどうかを判断する。しきい値レベルを超える信号電力レベルを有する信号が受信された場合、動作はステップ１５１２からステップ１５１４に進む。そうでない場合、動作はステップ１５１２からステップ１５１６に進み、通信デバイスは、ピアツーピア信号を伝達する際に使用するための上記第２の通信帯域に対応する通信帯域を選択する。
【００８３】
ステップ１５１４に戻ると、ステップ１５１４で、通信デバイスは第３の通信帯域において信号の受信を監視する。動作はステップ１５１４からステップ１５１８に進む。
【００８４】
ステップ１５１８で、通信デバイスは、しきい値レベルを超える信号電力レベルを有する信号が、所定の期間に上記第３の通信帯域から受信されたかどうかを判断する。しきい値レベルを超える信号電力レベルを有する信号が受信された場合、動作はステップ１５１８からステップ１５２２に進む。そうでない場合、動作はステップ１５１８からステップ１５２０に進み、通信デバイスは、ピアツーピア信号を伝達する際に使用するための上記第３の通信帯域に対応する通信帯域を選択する。
【００８５】
ステップ１５２２に戻ると、ステップ１５２２において、通信デバイスは、ピアツーピア信号を伝達する際に使用するための上記第１、第２、および第３の通信帯域のうちの１つに対応する通信帯域を選択する。いくつかの実施形態では、ステップ１５２２の選択は信号電力レベル情報に応じて実行される。たとえば、通信デバイスは、第１、第２、および第３の通信帯域から受信された上記信号のうちのどれが最低電力レベルで受信されたかを判断し、最低電力レベル信号が受信された帯域に対応する帯域としてピアツーピア通信帯域を選択する。
【００８６】
動作は、ステップ１５１０、１５１６、１５２０、および１５２２のいずれかからステップ１５２４に進む。ステップ１５２４で、通信デバイスは、上記選択された対応する通信帯域においてピアツーピア通信信号を送信する。
【００８７】
いくつかの実施形態では、対応する通信帯域は通信帯域と同じである。たとえば、監視される通信帯域における検出信号の欠如は、同じ通信帯域がピアツーピアシグナリングの使用のために利用できることを示すことができ、時々、利用できることを示す。
【００８８】
いくつかの実施形態では、対応する通信帯域は監視される通信帯域とは異なる。たとえば、いくつかの実施形態では、通信帯域は対にされ、１つの通信帯域は信号を監視されており、対の対応する帯域は、条件付きでピアツーピアシグナリングに利用できる。いくつかのそのような実施形態では、通信帯域は周波数分割複信システムにおけるＷＡＮダウンリンク帯域であり、対応する周波数帯域は上記周波数分割複信システムにおけるアップリンク周波数帯域である。たとえば、（第１、第２、および第３の）監視される通信帯域は、いくつかの実施形態では、重なり合わない（第１、第２、および第３の）ダウンリンク通信帯域である。（第１、第２、および第３の）ダウンリンク通信帯域は、それぞれ重なり合わない（第１、第２、および第３の）対応するアップリンク通信帯域を有し、通信デバイスは、ピアツーピアシグナリングのための上記第１、第２、および第３のアップリンク通信帯域のうちの１つを選択する。
【００８９】
いくつかの実施形態では、通信帯域はＴＤＤシステムにおけるＷＡＮダウンリンク帯域であり、対応する通信帯域はＴＤＤシステムにおけるアップリンク帯域である。
【００９０】
図１５の例では、３つの帯域を監視する場合について説明したが、他の実施形態では、異なる数の帯域を監視する。いくつかの実施形態では、ただ１つの帯域を監視し、所定の期間に、しきい値を上回る電力レベルを有する受信信号が受信されない場合、ワイヤレス通信デバイスは、その対応する帯域をピアツーピアシグナリングに使用することができる。いくつかの他の実施形態では、２つの帯域または３つより多い帯域を監視し、通信デバイスは、電力レベル情報に応じて、どの対応する帯域を使用すべきかを判断する。
【００９１】
図１６は、様々な実施形態によるピアツーピア通信をサポートする通信デバイスを動作させる例示的な方法のフローチャート１６００である。動作はステップ１６０２で開始し、通信デバイスが電源投入され、初期化され、ステップ１６０４に進み、通信デバイスは信号を受信する。いくつかの実施形態では、受信信号はＧＰＳ信号である。いくつかの実施形態では、受信信号は、上記通信デバイス中に含まれるユーザ入力デバイスから受信されるユーザ入力信号である。たとえば、ユーザ入力デバイスは通信デバイス上のキーパッドであり、ユーザ入力信号は、ユーザが、特定のアドレス、たとえば、２つの街路の交差点、または建築物のアドレス、またはＧＰＳ座標もしくはグリッドシステム座標などのロケーション情報の組を入力したことを示す。いくつかの実施形態では、受信信号は、上記通信デバイスに結合された外部デバイスからの信号であり、たとえば、受信信号は、上記通信デバイスに結合された車両ナビゲーションシステムまたはハンドヘルドナビゲーションシステムなどのナビゲーションデバイスからの信号である。次いで、ステップ１６０６で、通信デバイスは、通信デバイスの現在のロケーションを受信信号から判断する。
【００９２】
いくつかの実施形態では、受信信号はセルラネットワーク信号である。たとえば、セルラネットワークは、いくつかの実施形態では、たとえば、ＧＰＳ情報、基地局および／またはセクタを特定するネットワーク接続ポイント情報、履歴情報、電力情報、相対的な電力情報、デッドスポット情報、受信情報および／または干渉情報を含む複数のロケーション技法を使用して通信デバイスのロケーションを追跡し、デバイス推定位置情報はアップロードできる。
【００９３】
動作はステップ１６０６からステップ１６０８に進む。ステップ１６０８で、通信デバイスは、判断されたロケーション情報を使用して、他のデバイスとの通信に使用すべき通信帯域を判断する。判断された通信帯域は、たとえば、ピアツーピア通信帯域である。いくつかの実施形態では、判断された現在のロケーションでのピアツーピア通信およびＷＡＮ通信のために異なる通信帯域を判断する。
【００９４】
いくつかの実施形態では、判断されたロケーション情報を使用することは、通信デバイスの現在のロケーションを使用して記憶された情報の組において現在のロケーションに関連付けられた通信帯域を特定する、ルックアップ動作を実行することを含む。様々な実施形態では、記憶された情報の組は、複数の異なるロケーションでピアツーピア通信に使用すべき通信帯域を示す情報を含む。いくつかの実施形態では、通信デバイスはさらにワイドエリアネットワーク通信をサポートし、記憶された情報の組はさらに、複数の異なるロケーションでワイドエリアネットワーク通信に使用すべき通信帯域を示す情報を含む。
【００９５】
いくつかの実施形態では、記憶された情報の組は、１つのロケーションでピアツーピア通信およびワイドエリアネットワーク通信に使用すべき異なる周波数帯域を示す。いくつかの実施形態では、記憶された情報の組は、１つのロケーションでピアツーピア通信およびワイドエリアネットワーク通信に同じ周波数帯域を使用すべきであることを示す情報を示す。いくつかの実施形態では、記憶された情報の組は上記通信デバイスに記憶される。
【００９６】
いくつかの実施形態では、判断されたロケーション情報を使用することは、ネットワークデバイスに照会を送信することと、現在のロケーションに関連付けられた通信帯域のインジケーションを上記ネットワークデバイスから受信することとを含む。いくつかの実施形態では、受信された通信帯域のインジケーションは、ネットワークデバイスによってアクセスされる記憶された情報の組に含まれる情報によって特定される通信帯域を示し、上記記憶された情報の組は、複数の異なるロケーションでピアツーピア通信に使用すべき通信帯域を示す情報を含む。いくつかのそのような実施形態では、通信デバイスはさらにワイドエリアネットワーク通信をサポートし、記憶された情報の組はさらに、複数の異なるロケーションでワイドエリアネットワーク通信に使用すべき通信帯域を示す情報を含む。
【００９７】
いくつかの実施形態では、記憶された情報の組は、１つのロケーションでピアツーピア通信およびワイドエリアネットワーク通信に使用すべき異なる周波数帯域を示す。いくつかの実施形態では、記憶された情報の組は、１つのロケーションでピアツーピア通信およびワイドエリアネットワーク通信に同じ周波数帯域を使用すべきであることを示す情報を示す。したがって、いくつかの実施形態では、１つのロケーションでの異なる周波数帯域は、たとえば、ＷＡＮシグナリング専用、ピアツーピアシグナリング専用、ピアツーピアシグナリングとＷＡＮシグナリングの併用など、異なる使用カテゴリに分類でき、時々分類され、たとえば、各タイプのシグナリングは他のタイプへの干渉として作用する。
【００９８】
帯域使用タイプ情報、たとえば、ピアツーピア通信に利用できる帯域を示す情報をロケーション情報と相関させる、記憶された情報を維持、更新、および使用する手法は、たとえば、基地局によって、ある領域における現在および／または推定されるセルラアクティビティおよび／またはピアツーピアアクティビティに応じて、動的な通信帯域割振りおよび／または再割振りを実現する様々な実施形態において有益である。たとえば、ネットワークノードシグナリングを介して、ワイヤレス端末に記憶されたロケーション／帯域関連情報の組を更新することを含むこの手法はまた、スペクトル可用性および／または基地局能力が時間とともに変化する段階的な展開の実装形態に有用である。
【００９９】
動作はステップ１６０８からステップ１６１０に進む。ステップ１６１０で、通信デバイスは、判断された通信帯域においてピアツーピア信号を送信する。
【０１００】
図１７は、様々な実施形態による、ピアツーピア通信をサポートする例示的なワイヤレス端末１７００、たとえば、移動体ノードの図である。例示的なワイヤレス端末１７００は、様々な要素がデータおよび情報を交換することができるバス１７１２を介して互いに結合された受信機モジュール１７０２と、送信機モジュール１７０４と、プロセッサ１７０６と、ユーザ入出力デバイス１７０８と、メモリ１７１０とを含む。
【０１０１】
受信機モジュール１７０２、たとえば、ＯＦＤＭまたはＣＤＭＡワイヤレス受信機は、ワイヤレス端末１７００が信号を受信するための受信アンテナ１７１４に結合される。受信信号は、ＷＡＮデバイスからの信号、たとえば、ピアツーピア帯域選択の目的に使用される基地局からのダウンリンク信号を含む。受信機モジュール１７０２は、複数のＷＡＮ通信帯域のうちの１つにおいてＷＡＮデバイスによって送信された信号をＷＡＮ通信デバイスから受信する。受信ＷＡＮ信号（１７３４、．．、１７３６）は、そのような信号を表す。モジュール１７０２によって受信された受信信号は、他のピアツーピアデバイスからの信号をも含む。いくつかの実施形態では、受信ピアツーピア信号は、ピアツーピア通信帯域を選択する際にも利用される。受信ピアツーピア信号はまた、進行中のピアツーピア通信セッションの一部として受信されたピアツーピア信号を含む。
【０１０２】
送信機モジュール１７０４、たとえば、ＯＦＤＭまたはＣＤＭＡワイヤレス送信機は、ワイヤレス端末１７００が、ピアツーピア通信動作モードで動作する他のワイヤレス端末に信号、たとえば、ピアツーピア信号を送信するための送信アンテナ１７１６に結合される。送信機モジュール１７０４は、ワイヤレス端末がピアツーピアシグナリングに使用するＷＡＮ通信帯域のうちの選択された１つ、たとえば、情報１７４８によって特定されたＷＡＮ通信帯域においてピアツーピア信号を送信する。いくつかの実施形態では、同じアンテナが送信機と受信機の両方に使用される。いくつかの実施形態では、複数のアンテナが、たとえばＭＩＭＯ構成の一部として、受信と送信の少なくとも一方に使用される。
【０１０３】
ユーザ入出力デバイス１７０８は、たとえば、マイクロホン、キーボード、キーパッド、スイッチ、カメラ、スピーカ、ディスプレイなどを含む。ユーザ入出力デバイス１７０８は、ワイヤレス端末１７００のユーザが、データ／情報を入力すること、出力データ／情報にアクセスすること、およびワイヤレス端末の少なくともいくつかの機能を制御すること、たとえば、ピアツーピア通信セッションを開始することを可能にする。
【０１０４】
メモリ１７１０は、ルーチン１７１８とデータ／情報１７２０とを含む。プロセッサ１７０６、たとえば、ＣＰＵは、ルーチン１７１８を実行し、メモリ１７１０中のデータ／情報１７２０を使用して、ワイヤレス端末１７００の動作を制御し、方法、たとえば、図１０のフローチャート１０００と、図１１のフローチャート１１００と、図１２のフローチャート１２００と、図１３のフローチャート１３００と、図１４のフローチャート１４００とのうちの１つの方法を実施する。
【０１０５】
ルーチン１７１８はピアツーピア通信帯域選択モジュール１７２２を含む。ルーチン１７１８は、デコーダモジュール１７２４と、信号強度測定モジュール１７２６と、最弱ＷＡＮ帯域判断モジュール１７２８と、ピアツーピア信号強度測定モジュール１７３２とのうちの１つまたは複数を含む。
【０１０６】
データ／情報１７２０は、複数の受信ＷＡＮ信号（受信ＷＡＮ信号１  １７３４、．．．、受信ＷＡＮ信号ｎ１７３６）と、記憶された通信帯域構成情報１７４６と、ピアツーピアシグナリングのための選択されたＷＡＮ帯域を特定する情報１７４８とを含む。いくつかの実施形態では、データ／情報１７２０は、ＷＡＮ信号からの復元された情報（ＷＡＮ信号１からの復元された情報１７３８、．．．、ＷＡＮ信号ｎからの復元された情報１７４０）と、受信ＷＡＮ信号に対応する測定信号強度情報（ＷＡＮ信号１の測定信号強度情報１７４２、．．．、ＷＡＮ信号ｎの測定信号強度情報１７４４）と、帯域選択信号強度しきい値情報１７５０とのうちの１つまたは複数を含む。
【０１０７】
記憶された通信帯域構成情報１７４６は、周波数分割複信（ＦＤＤ）エアリンクリソース構成情報１７５２と時分割複信（ＴＤＤ）エアリンクリソース構成情報１７５４とのうちの１つまたは複数を含む。ＦＤＤエアリンクリソース構成情報１７５２は、複数の対応するアップリンク／ダウンリンク帯域の対に対応する情報（（アップリンク帯域１の情報１７５６、ダウンリンク帯域１の情報１７５８）、．．．（アップリンク帯域Ｎの情報１７６０、ダウンリンク帯域Ｎの情報１７６２）を含む。ＴＤＤエアリンクリソース構成情報１７５４は、複数の対応するアップリンク／ダウンリンク帯域の対に対応する情報（（アップリンク帯域１の情報１７６４、ダウンリンク帯域１の情報１７６６）、．．．（アップリンク帯域Ｍの情報１７６８、ダウンリンク帯域Ｍの情報１７７０）を含む。アップリンク帯域１の情報１７６４は、周波数情報１７７２とタイムスロット情報１７７４とを含む。ダウンリンク帯域１の情報１７６６は、周波数情報１７７６とタイムスロット情報１７７８とを含む。いくつかの実施形態では、周波数情報１７７２は周波数情報１７７６と同じである。
【０１０８】
ピアツーピア通信帯域選択モジュール１７２２は、受信ＷＡＮ信号に基づいて複数のＷＡＮ通信帯域のうちの１つを選択する。ピアツーピアのための選択されたＷＡＮ帯域１７４８は、選択モジュール１７２２の選択を特定し、後続のピアツーピア通信のために、たとえば、ピアツーピアシグナリングをサポートするために受信機モジュール１７０２と送信機モジュール１７０４の動作を調整および／または制御するために、ワイヤレス端末１７００によって使用される。
【０１０９】
デコーダモジュール１７２４は、ＷＡＮ周波数帯域のうちの１つを選択する前に、受信信号から通信情報を復元するために受信信号を復号する。たとえば、デコーダモジュール１７２４は、復元された通信情報（ＷＡＮ信号１からの復元された情報１７３８、．．、ＷＡＮ信号ｎからの復元された情報１７４０）を得るために受信ＷＡＮ信号（１７３４、．．．、１７３６）のうちの１つまたは複数を復号する。いくつかのそのような実施形態では、選択モジュール１７２２は、複数のＷＡＮ通信帯域間で選択するために、復元された通信情報を使用する。いくつかのそのような実施形態では、復元された通信情報は、ｉ）信号の受信元であるＷＡＮデバイスのセクタによって使用されていない帯域と、ｉｉ）信号の受信元であり、信号がセクタにおいて複数のＷＡＮ周波数帯域のうちの他の帯域に対して低減された電力レベルで受信されたＷＡＮデバイスのそのセクタによって使用される帯域とのうちの１つである、上記複数の周波数帯域のうちの１つを示す。いくつかの実施形態では、ＷＡＮデバイスは単一セクタ基地局であり、セクタは単一セクタ基地局の単一セクタである。
【０１１０】
いくつかの実施形態では、選択モジュール１７２２による選択は、復元された通信情報によって示されたＷＡＮ通信帯域を選択することを含む。
【０１１１】
いくつかの実施形態では、選択モジュール１７２２によって選択される、選択された通信帯域は、受信信号の受信元である帯域とは異なる。いくつかの例示的な実施形態では、ＷＡＮ通信帯域はＦＤＤ通信帯域であり、ＷＡＮ信号の受信元である通信帯域はＷＡＮダウンリンク通信帯域である。いくつかのそのような実施形態では、ピアツーピア通信に使用するために選択された通信帯域はＷＡＮアップリンク通信帯域である。
【０１１２】
いくつかの実施形態では、ＷＡＮ通信帯域はＴＤＤ通信帯域であり、ＷＡＮ信号の受信元であるＷＡＮ通信帯域はダウンリンク通信帯域内のタイムスロットに対応する。いくつかのそのような実施形態では、ピアツーピア通信に使用するためにモジュール１７２２によって選択された通信帯域はアップリンク帯域であり、送信機モジュール１７０４は、生成されたピアツーピア信号を上記アップリンク帯域内のアップリンクタイムスロットで送信し、アップリンク通信帯域とダウンリンク通信帯域は異なる時間に同じ周波数を使用する。
【０１１３】
信号強度測定モジュール１７２６は、受信信号の強度、たとえば、１つまたは複数の受信ＷＡＮ信号（１７３４、．．．、１７３６）の強度を測定する。測定信号強度情報（ＷＡＮ信号１の測定信号強度１７４２、．．．、ＷＡＮ信号ｎの測定信号強度１７４４）は、（受信ＷＡＮ信号１  １７３４、．．．、受信ＷＡＮ信号ｎ１７３６）から得られた信号強度測定モジュール１７２６の出力を表す。いくつかのそのような実施形態では、選択モジュール１７２２は、測定信号強度情報に応じて選択を実行する。
【０１１４】
いくつかの実施形態では、ピアツーピア通信帯域選択モジュール１７２２は信号強度しきい値比較モジュール１７３０を含む。信号強度しきい値比較モジュール１７３０は、帯域選択信号強度しきい値情報１７５０を含むデータ／情報１７２０を使用して、測定信号強度をしきい値と比較する。いくつかのそのような実施形態では、選択モジュール１７２２は、信号強度がしきい値を下回る場合、信号の受信元である帯域に対応する通信帯域を選択し、信号の受信元である上記通信帯域は、信号の受信元である異なる通信帯域である。たとえば、受信ＷＡＮ信号１  １７３４は第１のダウンリンク通信帯域において受信され、受信ＷＡＮ信号１の測定された電力１７４２は、しきい値情報１７５０に記憶されたしきい値を下回ると判断され、第１のダウンリンク通信帯域は、記憶された通信帯域構成情報において特定される第１のアップリンク通信帯域と対にされると考える。１つのそのような実施形態では、選択モジュール１７２２は、ピアツーピア通信に使用すべき第１のアップリンク通信帯域を選択する。
【０１１５】
様々な実施形態では、信号強度測定モジュール１７２６は、様々なＷＡＮ通信帯域から受信されたＷＡＮ通信信号の受信信号強度を測定するためのものであり、選択モジュール１７２２は、少なくとも２つの異なる受信信号の測定信号強度に応じて通信帯域を選択する。
【０１１６】
最弱ＷＡＮ帯域判断モジュール１７２８は、測定された受信ＷＡＮ信号のうちの最も弱い信号を有するＷＡＮ帯域を判断する。いくつかのそのような実施形態では、選択モジュール１７２２は、測定された受信ＷＡＮ信号のうちの最も弱い信号の受信元である帯域に対応する通信帯域を選択する。１つの例示的な実施形態では、受信ＷＡＮ信号は、アップリンク通信帯域と対にされる通信ダウンリンク帯域からの基地局信号であり、選択モジュール１７２２は、最も弱い受信信号の受信元であるダウンリンク通信帯域と対にされるアップリンク通信帯域をピアツーピア通信に使用するために選択する。いくつかの実施形態では、基地局は、検出され、受信信号強度について測定され、最も弱い受信信号を判断するために他の同様の信号とともに評価される、同じタイプのＷＡＮ信号、たとえば、ビーコンまたはパイロットチャネル信号を、同じ電力レベルで送信する。
【０１１７】
いくつかの他の実施形態では、様々な基地局が、受信し、測定し、他の基地局からのＷＡＮ信号と比較すべきＷＡＮを、様々な送信電力レベルで送信することができ、時々送信する。ワイヤレス端末１７００は、ワイヤレス端末１７００に知られているかまたは供給されるスケーリング情報を使用して、モジュール１７２８が弱さの判断を実行する前に受信ＷＡＮ信号の測定値をスケーリングする。いくつかの実施形態では、ピアツーピアシグナリングの影響を受けるＷＡＮデバイスにおいて様々なＳＮＲ要件を考慮に入れるために調整も行われる。
【０１１８】
ピアツーピア信号測定モジュール１７３２は、測定されたＷＡＮ通信信号のうちの少なくともいくつかの受信元である通信帯域に対応する通信帯域から受信されたピアツーピア信号を測定する。いくつかのそのような実施形態では、選択モジュール１７２２は、受信ＷＡＮ信号の測定信号強度と、少なくともいくつかのピアツーピア信号の測定信号強度とに応じて、対応する通信帯域を選択する。
【０１１９】
いくつかの実施形態では、信号強度しきい値比較１７３０は測定信号強度をしきい値と比較し、選択モジュール１７２２は、信号強度がしきい値を上回る場合、信号の受信元である帯域に対応しない通信帯域を選択する。たとえば、あるしきい値を上回る測定されたＷＡＮ基地局ダウンリンク信号の信号強度は、いくつかの実施形態では、ピアツーピアデバイスが基地局に近すぎることを示し、その対応するアップリンク帯域におけるピアツーピア通信を許可すると、そのアップリンク帯域における基地局によるＷＡＮアップリンク信号の復元が容認できないほど影響を受けることになり、したがって、そのアップリンク帯域におけるピアツーピアシグナリングは制限される。いくつかの実施形態では、信号強度しきい値比較モジュール１７３０は選択モジュール１７２２とは別個のモジュールである。
【０１２０】
記憶された通信帯域構成情報１７４６は、アップリンク通信帯域とダウンリンク通信帯域との間の対応を示す。いくつかのそのような実施形態では、受信機モジュール１７０２はＷＡＮ基地局からの信号を受信し、信号の受信元である通信帯域はダウンリンク通信帯域であり、選択モジュール１７２２は、記憶された通信帯域構成情報１７４６を使用して、選択された通信帯域としてピアツーピア通信に使用すべき、ダウンリンク通信帯域に対応するアップリンク帯域を選択する。たとえば、通信システムはＦＤＤシステムであり、受信ＷＡＮ信号（１７３４）は、ＤＬ帯域１の情報１７５８によって特定されたダウンリンク帯域において受信され、選択モジュール１７２２によって選択される、ピアツーピア通信に使用すべき選択された通信帯域は、情報１７５６によって特定された対のアップリンク帯域１であると考える。別の例として、通信システムはＴＤＤシステムであり、受信ＷＡＮ信号（１７３４）は、ＤＬ帯域１の情報１７６６によって特定されたダウンリンク通信帯域において受信され、選択モジュール１７２２によって選択される、ピアツーピア通信に使用すべき選択された通信帯域は、情報１７６４によって特定されたアップリンク帯域１であると考える。
【０１２１】
様々な実施形態では、ＷＡＮ信号、たとえば、信号１７３４の受信元であるデバイスは、少なくとも１つの帯域が所与の時間に少なくとも１つのセルのセクタによって使用されていない周波数分割複信マルチセル通信システムにおけるＷＡＮ通信デバイスである。いくつかのそのような実施形態では、使用されていない帯域は、ピアツーピア通信に使用するために利用できる。ピアツーピア通信に利用可能な使用されていないＷＡＮ帯域を特定する情報は、たとえば、ＷＡＮ信号１からの復元された情報１７３８から抽出される。いくつかの実施形態では、システムの異なる部分において、異なる帯域が使用されていない場合がある。いくつかの実施形態では、同じ基地局接続ポイントに対応して、ＷＡＮ帯域は、基地局によって、ＷＡＮ専用、ＷＡＮ／ピアツーピア共用、ピアツーピア専用のうちの１つに指定される。いくつかの実施形態では、指定は、たとえばシステム負荷に応じて、時間とともに変化する。指定情報は、いくつかの実施形態では、ＷＡＮ信号からの復元された情報において得られる。
【０１２２】
様々な実施形態では、ＷＡＮ信号の受信元であるデバイスは、セルの少なくとも１つのセクタが複数の通信帯域を同時に使用する周波数分割複信マルチセル通信システムにおけるＷＡＮ通信デバイスである。いくつかのそのような実施形態では、通信帯域のうちの１つは、上記セクタにおいて使用される通信帯域のうちの別の通信帯域に対して低減された電力レベルで使用される。たとえば、セクタは３つの異なるダウンリンク／アップリンク周波数帯域の対を含み、各対はダウンリンクシグナリングのための異なる基地局基準電力レベルに関連付けられる。
【０１２３】
いくつかの実施形態では、ＷＡＮ信号、たとえば、受信ＷＡＮ１信号１７３４の受信元であるデバイスは、システム全体においてＷＡＮ通信帯域のサブセットのみを使用するＷＡＮ通信デバイス、たとえば、基地局であり、サブセットは複数のＷＡＮ通信帯域全てよりも少ない通信帯域を含む。
【０１２４】
いくつかの実施形態では、ワイヤレス端末は、ＦＤＤ  ＷＡＮシステムとＴＤＤ  ＷＡＮシステムの両方においてピアツーピア通信をサポートし、たとえば、スペクトルのある領域または範囲では、使用されているＷＡＮシステムはＦＤＤシステムであり、スペクトルの別の領域または範囲では、使用されているＷＡＮシステムはＴＤＤ  ＷＡＮシステムである。いくつかのそのような実施形態では、ピアツーピア通信をサポートするワイヤレス端末１７００は、利用可能なＷＡＮシステムのタイプに適応するように適合される。
【０１２５】
図１８は、様々な実施形態による、ピアツーピア通信をサポートする例示的なワイヤレス端末１８００、たとえば、移動体ノードの図である。例示的なワイヤレス端末１８００は、様々な要素がデータおよび情報を交換することができるバス１８１２を介して互いに結合された受信機モジュール１８０２と、送信機モジュール１８０４と、プロセッサ１８０６と、ユーザ入出力デバイス１８０８と、メモリ１８１０とを含む。
【０１２６】
受信機モジュール１８０２、たとえば、ＯＦＤＭまたはＣＤＭＡワイヤレス受信機は、ワイヤレス端末１８００が信号を受信するための受信アンテナ１８１４に結合される。受信機モジュール１８０２は、少なくとも１つのＷＡＮ通信帯域から信号を受信する。受信信号は、ピアツーピア帯域選択の目的に使用されるＷＡＮデバイスからの信号、たとえば、基地局からのダウンリンク信号を含む。受信機モジュール１８０２は、複数のＷＡＮ通信帯域のうちの１つにおいてＷＡＮデバイスによって送信された信号をＷＡＮ通信デバイスから受信する。受信ＷＡＮ信号（１８３４、．．、１８３６）は、そのような信号を表す。モジュール１８０２によって受信された受信信号は、他のピアツーピアデバイスからの信号をも含む。いくつかの実施形態では、受信ピアツーピア信号は、ピアツーピア通信帯域を選択する際にも利用される。受信ピアツーピア信号はまた、進行中のピアツーピア通信セッションの一部としての受信ピアツーピア信号を含む。
【０１２７】
送信機モジュール１８０４、たとえば、ＯＦＤＭまたはＣＤＭＡワイヤレス送信機は、ワイヤレス端末１８００が、ピアツーピア通信動作モードで動作する他のワイヤレス端末に信号、たとえば、信号１８４６など生成されたピアツーピア信号を送信するための送信アンテナ１８１６に結合される。送信機モジュール１８０４は、ワイヤレス端末がピアツーピアシグナリングに使用するＷＡＮ通信帯域のうちの選択された１つ、たとえば、情報１８４４によって特定されたＷＡＮ通信帯域においてピアツーピア信号を送信する。いくつかの実施形態では、同じアンテナが送信機と受信機の両方に使用される。いくつかの実施形態では、複数のアンテナが、たとえばＭＩＭＯ構成の一部として、受信と送信の少なくとも一方に使用される。
【０１２８】
ユーザ入出力デバイス１８０８は、たとえば、マイクロホン、キーボード、キーパッド、スイッチ、カメラ、スピーカ、ディスプレイなどを含む。ユーザ入出力デバイス１８０８は、ワイヤレス端末１８００のユーザが、データ／情報を入力すること、出力データ／情報にアクセスすること、およびワイヤレス端末の少なくともいくつかの機能を制御すること、たとえば、ピアツーピア通信セッションを開始することを可能にする。
【０１２９】
メモリ１８１０は、ルーチン１８１８とデータ／情報１８２０とを含む。プロセッサ１８０６、たとえば、ＣＰＵは、ルーチン１８１８を実行し、メモリ１８１０中のデータ／情報１８２０を使用して、ワイヤレス端末１８００の動作を制御し、方法、たとえば、図１５のフローチャート１５００の方法を実施する。
【０１３０】
ルーチン１８１８は、しきい値判断モジュール１８２２と、ピアツーピア通信帯域選択モジュール１８３０と、ピアツーピア信号生成モジュール１８３２とを含む。しきい値判断モジュール１８２２は、帯域監視モジュール１８２４と、信号強度測定モジュール１８２６と、しきい値テストモジュール１８２８とを含む。
【０１３１】
データ／情報１８２０は、１つまたは複数の受信ＷＡＮ信号（受信ＷＡＮ信号１  １８３４、．．．、受信ＷＡＮ信号ｎ１８３６）と、測定信号強度情報（ＷＡＮ信号１の測定信号強度１８３８、．．．ＷＡＮ信号ｎの測定信号強度１８４０）と、帯域選択しきい値情報１８４２と、監視される帯域とピアツーピア使用帯域との間の記憶された相関情報１８４３と、記憶された通信帯域構成情報１８４８と、ピアツーピアシグナリングのための選択された対応する通信帯域を特定する情報１８４４と、生成されたピアツーピア信号１８４６とを含む。
【０１３２】
記憶された通信帯域構成情報１８４８は、ＦＤＤエアリンクリソース構成情報１８５０とＴＤＤエアリンクリソース構成情報１８５２とのうちの１つまたは複数を含む。ＦＤＤエアリンクリソース構成情報１８５０は、複数のアップリンク／ダウンリンク帯域の対の構成情報（（アップリンク帯域１の情報１８５４、ダウンリンク帯域１の情報１８５６）、．．．、（アップリンク帯域Ｎの情報１８５８、ダウンリンク帯域Ｎの情報１８６０））を含む。ＴＤＤエアリンクリソース構成情報１８５２は、複数のアップリンク／ダウンリンク帯域の対の構成情報（（アップリンク帯域１の情報１８６２、ダウンリンク帯域１の情報１８６４）、．．．、（アップリンク帯域Ｍの情報１８６６、ダウンリンク帯域Ｍの情報１８６８））を含む。アップリンク帯域１の情報１８６２は、周波数情報１８７０とタイムスロット情報１８７２とを含み、ダウンリンク帯域１の情報１８６４は、周波数情報１８７４とタイムスロット情報１８７６とを含む。いくつかの実施形態では、少なくともいくつかのＵＬ／ＤＬ帯域の対では、周波数情報は同じであるがタイムスロット情報は異なり、たとえば、周波数情報１８７０と周波数情報１８７４は同じＯＦＤＭトーンの組を特定するが、タイムスロット情報１８７２は第１のタイムスロットの組を特定し、タイムスロット情報１８７６は第２のタイムスロットの組を特定し、第１と第２のタイムスロットの組は重なり合わない。
【０１３３】
しきい値判断モジュール１８２２は、しきい値レベルを超える電力レベルを有する信号が、受信機モジュール１８０２によって監視されている通信帯域、たとえば、ＷＡＮ帯域から所定の期間に受信されたかどうかを判断する。いくつかの実施形態では、受信電力レベルについて評価される信号は、特定のタイプの信号または特定の指定された信号、たとえば、ビーコン信号または固有のブロードキャストチャネル信号である。
【０１３４】
ピアツーピア通信帯域選択モジュール１８３０は、判断モジュール１８２２が、しきい値レベルを超える信号電力レベルを有する信号が所定の期間に受信されていないと判断した場合、監視される通信帯域に対応する、ピアツーピアシグナリングのための対応する通信帯域を選択する。ピアツーピアシグナリングのための選択された対応する通信帯域を特定する情報１８４４は、送信機モジュール１８０４が、たとえば、チューナ設定に使用するピアツーピア通信帯域選択モジュール１８３０の出力である。
【０１３５】
ピアツーピア信号生成モジュール１８３２は、情報１８４４によって特定された帯域において送信機モジュール１８０４が送信すべきピアツーピア信号、たとえば、生成されたピアツーピア信号１８４６を生成する。
【０１３６】
監視される帯域とピアツーピア使用帯域との間の記憶された相関情報１８４３は、監視される帯域の測定値が基準を満たす場合、ピアツーピア信号に使用すべき対応する帯域を示す情報を含む。たとえば、ダウンリンクＦＤＤ帯域において監視される信号が検出され、所定のしきい値を下回る受信電力レベルを有し、対応する帯域は、いくつかの実施形態では、対応するアップリンク帯域であり、たとえば、監視される帯域はダウンリンク帯域１の情報１８５６によって特定された帯域であり、ピアツーピアシグナリングに使用すべき対応する帯域は、アップリンク帯域情報１８５４によって特定されたアップリンク帯域である。別の例として、帯域が、たとえば、システム構成および／またはシステム負荷に応じて、随意にシステム全体にわたって使用される場合を考える。ワイヤレス端末１８００は、ＷＡＮ帯域において信号を監視し、信号が検出されない場合、ワイヤレス端末は、帯域が現在その領域においてＷＡＮシグナリングに使用されておらず、同じ通信帯域をピアツーピアシグナリングに使用することができると仮定する。たとえば、ワイヤレス端末１８００が、特定のダウンリンクＦＤＤ帯域において監視されている特定のタイプの信号、たとえば、ＯＦＤＭビーコン信号の存在を検出しないと考えると、ピアツーピアシグナリングのために選択される対応する帯域は同じ帯域とすることができ、たとえば、情報１８６０によって特定されたダウンリンク帯域Ｎは、監視される帯域とピアツーピアシグナリングのために選択される帯域との両方とすることができ、時々両方である。
【０１３７】
いくつかの実施形態、たとえば、いくつかの帯域が、随意にシステム全体にわたってＷＡＮシグナリングに使用され、ＷＡＮシグナリングに使用されていない場合、ピアツーピアシグナリングに利用できる実施形態では、記憶された情報１８４３は、ピアツーピアしきい値判断のために監視されているＷＡＮ通信帯域が、ピアツーピアシグナリングに使用すべき対応する通信帯域と同じであることを示す。
【０１３８】
いくつかの実施形態では、記憶された情報１８４３は、ピアツーピアしきい値判断のために監視されているＷＡＮ通信帯域が、ピアツーピアシグナリングに使用すべき対応する通信帯域とは異なることを示す。いくつかのＦＤＤ  ＷＡＮシステム実施形態では、ＦＤＤシステムのＤＬ  ＷＡＮ帯域がしきい値判断モジュール１８２２によって監視され、対応するアップリンク帯域はＵＬ周波数帯域である。たとえば、しきい値判断モジュール１８２２は、情報（１８５６、．．．、１８６０）によって特定されたＤＬ帯域うちの１つまたは複数を監視し、アップリンク帯域（１８５４、．．．、１８５８）からピアツーピアシグナリングに使用すべき対応する帯域を選択する。たとえば、テスト基準を満たす監視される帯域がダウンリンク帯域１の情報１８５６によって特定された帯域であると考えると、選択モジュール１８３０がピアツーピアシグナリングのために選択する対応するアップリンク帯域は、アップリンク帯域１の情報１８５４によって特定された帯域である。別の例として、ＴＤＤシステム実施形態を考えると、ＴＤＤシステムのＤＬ  ＷＡＮ帯域がしきい値判断モジュール１８２２によって監視され、対応するアップリンク帯域はＵＬ周波数帯域である。たとえば、しきい値判断モジュール１８２２は、情報（１８６４、．．．、１８６８）によって特定されたＤＬ帯域うちの１つまたは複数を監視し、アップリンク帯域（１８６２、．．．、１８６６）からピアツーピアシグナリングに使用すべき対応する帯域を選択する。たとえば、テスト基準を満たす監視される帯域がダウンリンク帯域１の情報１８６４によって特定された帯域であると考えると、選択モジュール１８３０がピアツーピアシグナリングのために選択する対応するアップリンク帯域は、アップリンク帯域１の情報１８６２によって特定された帯域である。いくつかのそのようなＴＤＤ実施形態では、情報１８６２によって特定された、ピアツーピアシグナリングに使用すべき対応するアップリンク帯域は、監視されるダウンリンク帯域と同じ周波数の組を使用するが、アップリンクとダウンリンクは異なる重なり合わないタイムスロットにマッピングする。
【０１３９】
帯域監視モジュール１８２４は、通信帯域を監視して、通信帯域における１つまたは複数の信号の有無を検出する。信号強度測定モジュール１８２６は、監視されている帯域に対応する信号強度を測定し、たとえば、監視されている特定の信号に対応する信号強度を得る。いくつかの実施形態では、ヌル信号強度測定値は、信号が監視される帯域において検出されなかったことを示す。しきい値テストモジュール１８２８は、測定信号強度をしきい値レベル、たとえば、帯域選択しきい値情報１８４２に記憶されたしきい値と比較する。
【０１４０】
いくつかの実施形態では、監視でき、時々監視される複数の通信帯域があり、第１の監視される通信帯域において検出された信号がしきい値を超える場合、しきい値判断モジュール１８２２は、複数の通信帯域の中から第２の通信帯域を監視する。たとえば、しきい値テストモジュール１８２８は、しきい値超過状態を検出し、異なる１つまたは複数の通信帯域の監視に切り替えるように帯域監視モジュール１８２４に通知する。いくつかのそのような実施形態では、ピアツーピア通信帯域選択モジュール１８３２は、第２の通信帯域の監視に応じてピアツーピアシグナリングのための第１の通信帯域以外の複数の帯域のうちの１つを選択する。いくつかのそのような実施形態では、選択モジュール１８３０は、しきい値検出モジュール１８２２が、しきい値を超える信号を検出していない通信帯域を選択する。いくつかの他のそのような実施形態では、選択モジュール１８３０は、検出モジュール１８２２がしきい値を超える信号を検出していない通信帯域に対応する、対応する通信帯域を選択する。
【０１４１】
受信ＷＡＮ信号１  １８３４および受信ＷＡＮ信号ｎ１８３６は、しきい値判断モジュール１８２２によって評価される受信信号である。いくつかの実施形態では、受信ＷＡＮ信号、たとえば、受信ＷＡＮ信号１  １８３４は、監視されるエアリンクリソースの組、たとえば、ＯＦＤＭトーンの組に所定の時間間隔にわたって存在する背景雑音および／または干渉雑音であり、所定の電力レベルを上回る固有の特性信号の不在は、ピアツーピアシグナリングのための帯域の可用性を示す。たとえば、帯域監視モジュール１８２４は、ＤＬ帯域１の情報１８５６によって特定されたＤＬ帯域を監視するように設定され、受信ＷＡＮ信号１  １８３４が得られ、帯域監視モジュール１８２４は、ＤＬ帯域Ｎの情報１８６０によって特定されたＤＬ帯域を監視するように設定され、受信ＷＡＮ信号ｎ１８３６が得られる。（ＷＡＮ信号１の測定信号強度１８３８、ＷＡＮ信号ｎの測定信号強度１８４０）は、それぞれ信号（１８３４、１８３６）に対応する信号強度測定モジュール１８２６からの出力を表す。帯域選択しきい値情報１８４２は、測定された受信信号レベルが、対応する帯域においてピアツーピア通信を許可すべきレベルであるか、制限すべきレベルであるかを判断する際に、しきい値テストモジュール１８２８が使用する限界値、たとえば、所定の限界値を含む。
【０１４２】
図１９は、様々な実施形態による、ピアツーピア通信をサポートする例示的なワイヤレス端末１９００、たとえば、移動体ノードの図である。例示的なワイヤレス端末１９００は、様々な要素がデータおよび情報を交換することができるバス１９１２を介して互いに結合された受信機モジュール１９０２と、送信機モジュール１９０４と、プロセッサ１９０６と、ユーザ入出力デバイス１９０８と、メモリ１９１０とを含む。
【０１４３】
受信機モジュール１９０２、たとえば、ＯＦＤＭまたはＣＤＭＡワイヤレス受信機は、ワイヤレス端末１９００が信号を受信するための受信アンテナ１９１４に結合される。受信信号はピアツーピア通信信号および／またはＷＡＮダウンリンク信号を含む。いくつかの実施形態では、受信信号は通信情報照会応答信号を含む。
【０１４４】
送信機モジュール１９０４、たとえば、ＯＦＤＭまたはＣＤＭＡワイヤレス送信機は、ワイヤレス端末１９００が、ピアツーピア通信動作モードで動作する他のワイヤレス端末に信号、たとえば、信号１９６０など生成されたピアツーピア信号を送信するための送信アンテナ１９１６に結合される。送信される信号は、基地局に導かれるＷＡＮアップリンク信号をも含む。送信機モジュール１９０４はまた、いくつかの実施形態では、ワイヤレス通信リンクを介して通信情報照会生成モジュール１９２８によって生成される照会を送信し、上記照会はネットワークデバイスに導かれる。
【０１４５】
いくつかの実施形態では、同じアンテナが送信機モジュール１９０４と受信機モジュール１９０２の両方に使用される。いくつかの実施形態では、複数のアンテナが、たとえばＭＩＭＯ構成の一部として、受信と送信の少なくとも一方に使用される。
【０１４６】
いくつかの実施形態では、ワイヤレス端末１９００は、同じくバス１９１２に結合されるＧＰＳモジュール１９０３を含む。そのような実施形態では、ＧＰＳモジュール１９０３、たとえば、ＧＰＳ受信機モジュールは、ＧＰＳモジュール１９０３がＧＰＳ衛星からＧＰＳ信号を受信するためのＧＰＳアンテナ１９０５に結合され、受信ＧＰＳ信号は、ワイヤレス端末１９００の位置修正情報を得るためにＧＰＳモジュール１９０３によって利用される。様々な実施形態では、ＧＰＳモジュール１９０３はロケーション判断モジュール１９２２の一部として含まれる。
【０１４７】
ユーザ入出力デバイス１９０８は、たとえば、マイクロホン、キーボード、キーパッド、スイッチ、カメラ、スピーカ、ディスプレイなどを含む。ユーザ入出力デバイス１９０８は、ワイヤレス端末１９００のユーザが、データ／情報を入力すること、出力データ／情報にアクセスすること、およびワイヤレス端末の少なくともいくつかの機能を制御すること、たとえば、ピアツーピア通信セッションを開始することを可能にする。いくつかの実施形態では、ワイヤレス端末１９００のユーザは、ロケーション判断モジュール１９２２がロケーションを判断する際、たとえば、他の方法で必要とされるよりも短時間でより正確なロケーションを判断する際に利用する、ワイヤレス端末１９００のおおよそのロケーションを入力することができ、時々入力する。いくつかのそのような実施形態では、入力されたロケーションは、ＧＰＳモジュール１９０３によって初期化の目的に使用される。
【０１４８】
ユーザ入出力デバイス１９０８はユーザ入力モジュール１９０９を含む。ユーザ入力モジュール１９０９は、ロケーション判断モジュール１９２２よって使用される信号をユーザ入力から生成し、たとえば、ユーザは、街路のアドレス、交差点、道標（landsite）、幹線道路、郵便番号などを入力することができ、ユーザ入力モジュールは、そのような情報を生成し、信号でロケーション判断モジュールに伝達する。
【０１４９】
メモリ１９１０は、ルーチン１９１８とデータ／情報１９２０とを含む。プロセッサ１９０６、たとえば、ＣＰＵは、ルーチン１９１８を実行し、メモリ１９１０中のデータ／情報１９２０を使用して、ワイヤレス端末１９００の動作を制御し、方法、たとえば、図１６のフローチャート１６００の方法を実施する。
【０１５０】
ルーチン１９１８は、ロケーション判断モジュール１９２２と、通信帯域判断モジュール１９２４と、ルックアップモジュール１９２６と、通信情報照会生成モジュール１９２８と、通信情報照会応答処理モジュール１９３０と、情報更新モジュール１９３１と、ピアツーピア信号生成モジュール１９３２とを含む。
【０１５１】
データ／情報１９２０は、帯域／ロケーション関連情報１９３４と、受信信号１９３６と、判断された現在のロケーション１９３８と、デバイス通信に使用すべき判断された通信帯域を特定する情報１９４０と、生成されたピアツーピア信号１９６０とを含む。帯域／ロケーション関連情報１９３４は、通信帯域情報に一致する複数のロケーション情報の組（（ロケーション１の情報１９４２、通信帯域情報１９４６）、（ロケーションＮの情報１９４４、通信帯域情報１９４８））を含む。通信帯域情報１９４６は、帯域情報の１つまたは複数の組（帯域１の情報１９５０、．．．、帯域Ｎの情報１９５２）を含む。帯域情報の各組は、使用指定情報、たとえば、帯域が専らＷＡＮシグナリングに使用されるか、専らＰ−Ｐシグナリングに使用されるか、またはＷＡＮとピアツーピアシグナリングの両方によって同時に使用されるように共有されるかを特定する情報を含む。帯域１の情報１９５０は使用タイプ指定情報１９５４を含む。通信帯域情報１９４８は、帯域情報の１つまたは複数の組（帯域１の情報１９５６、．．．、帯域Ｍの情報１９５８）を含む。
【０１５２】
いくつかの実施形態では、使用タイプ情報の少なくともいくつかは、帯域の使用の指定が、たとえば、所定のスケジュールに従って時間とともに変化することを示す。たとえば、１つの例示的な実施形態では、１つの基地局セクタは、様々な搬送波に関連する複数の帯域をサポートすることができ、高レベルのＷＡＮシグナリングが予想される時間間隔中、搬送波の各々は排他的なＷＡＮシグナリング専用であるが、中レベルのＷＡＮアクティビティが予想される間隔中、搬送波のうちの少なくとも１つは、共有される同時のＷＡＮおよびピアツーピアシグナリングに関連付けられる。いくつかのそのような実施形態では、低レベルのＷＡＮシグナリングアクティビティが予想される間隔中、搬送波のうちの少なくとも１つはピアツーピアシグナリングの排他的な使用に関連付けられる。
【０１５３】
ロケーション判断モジュール１９２２は、ワイヤレス端末１９００の現在のロケーションを受信信号から判断する。たとえば、受信信号１９３６から、ロケーション判断モジュール１９２２は、判断された現在のロケーション１９３８を判断する。受信信号１９３６は、ＧＰＳ信号または処理された受信ＧＰＳ信号から得られた信号とすることができ、時々そうである。受信信号１９３６は、ユーザ入力モジュール１９０９からの信号とすることができ、時々そうである。受信信号１９３６は、セルラネットワーク信号、たとえば、受信機モジュール１９０２を介してワイヤレス端末１９００に伝達されている基地局導出ロケーション情報を伝達するセルラネットワーク信号とすることができ、時々そうである。
【０１５４】
通信帯域判断モジュール１９２４は、判断されたロケーション情報に基づいて、デバイス通信に使用すべき１つまたは複数の通信帯域を判断する。通信帯域判断モジュール１９２４は、いくつかの実施形態では、ピアツーピア通信帯域判断モジュール１９２５とＷＡＮ通信帯域判断モジュール１９２７とを含む。ピアツーピア通信帯域判断モジュール１９２５は、現在のロケーションでピアツーピア通信に使用すべき通信帯域を判断する。ＷＡＮ通信帯域判断モジュール１９２７は、現在のロケーションでＷＡＮ通信に使用すべき通信帯域を判断する。いくつかの実施形態では、少なくともいくつかロケーションについて、判断された現在のロケーションでピアツーピアおよびＷＡＮ通信に使用すべき異なる通信帯域を判断する。
【０１５５】
ルックアップモジュール１９２６は、現在のロケーションに関連する記憶された情報において通信帯域を特定するためにワイヤレス端末１９００の現在のロケーションを使用してルックアップ動作を実行する。たとえば、ロケーション判断モジュール１９２２は、ルックアップモジュール１９２６よって使用される判断された現在のロケーション１９３８を判断することができ、ルックアップモジュールは、判断された現在のロケーション１９３８を記憶されたロケーション情報の組（ロケーション１の情報１９４２、．．．ロケーションＮの情報１９４４）のうちの１つに関連付け、次いでそのロケーションに関連する対応する帯域情報を判断する。たとえば、判断された現在のロケーションがロケーションＮの情報１９４４にマッピングすると考えると、デバイスが使用すべき帯域を見つけるために、通信帯域情報１９４８がルックアップモジュール１９２６によって利用される。いくつかのそのような実施形態では、デバイス使用のタイプ、たとえば、ピアツーピア通信は、帯域を特定するためにルックアップモジュール１９２６によって利用されるさらなる入力である。
【０１５６】
ピアツーピア信号生成モジュール１９３２は、現在のロケーションでピアツーピア通信に使用すべきであると指定された、特定された通信帯域において送信機モジュール１９０４が送信すべきピアツーピア信号、たとえば、信号１９６０を生成する。
【０１５７】
通信情報照会生成モジュール１９２８は、ネットワークデバイス、たとえば、基地局、中央制御ノード、コントローラノード、帯域割振り制御ノード、システム負荷分散ノード、または通信システムワイヤレス端末追跡ノードへの通信情報照会を生成し、上記照会は、ワイヤレス端末の現在のロケーションを含む。
【０１５８】
通信照会応答処理モジュール１９３０は、ネットワークデバイスからの受信応答から情報を復元する。復元された情報は、現在のロケーションに関連する通信帯域を判断するために通信帯域判断モジュール１９２４によって使用される。いくつかの実施形態では、復元された情報は、ピアツーピアシグナリングに使用すべき１つまたは複数の帯域を特定する。いくつかの実施形態では、復元された情報は、ピアツーピアシグナリングとＷＡＮシグナリングの両方に同時に使用すべき１つまたは複数の帯域を特定する。いくつかの実施形態では、復元された情報は、専らピアツーピアシグナリングに使用すべき１つまたは複数の帯域を特定する。いくつかの実施形態では、復元された情報は、専らＷＡＮシグナリングに使用すべき１つまたは複数の帯域を特定する。
【０１５９】
情報更新モジュール１９３１は、現在のロケーションと照会応答から判断された現在のロケーションに関連する１つまたは複数の通信帯域とを示す情報を含めるために、記憶された情報の組、たとえば、帯域／ロケーション関連情報１９３４を更新する。
【０１６０】
帯域／ロケーション関連情報１９３４は、ロケーションを通信帯域に関連付ける情報を含み、ロケーションのうちの少なくともいくつかは、異なる通信帯域に関連付けられる。ワイヤレス端末１９００はピアツーピアシグナリングをサポートし、帯域／ロケーション関連情報１９３４は、複数のロケーションでピアツーピア通信に使用すべき通信帯域を示す情報を含む。ワイヤレス端末１９００はワイドエリアネットワーク（ＷＡＮ）シグナリングをサポートし、帯域／ロケーション関連情報１９３４は、複数のロケーションでＷＡＮ通信に使用すべき通信帯域を示す情報を含む。いくつかの実施形態では、記憶された情報１９３４は、少なくとも１つのロケーションでピアツーピアおよびワイドエリアネットワーク通信に使用すべき異なる周波数帯域を示す。いくつかの実施形態では、記憶された情報１９３４は、少なくとも１つのロケーションでピアツーピアおよびワイドエリアネットワーク通信に同じ周波数帯域を使用すべきであることを示す。
【０１６１】
ＯＦＤＭシステムに関して説明したが、様々な実施形態の方法および装置は、多くの非ＯＦＤＭおよび／または非セルラシステムを含む広範囲の通信システムに適用可能である。いくつかの例示的なシステムは、ピアツーピアシグナリング、たとえば、いくつかのＯＦＤＭタイプ信号およびいくつかのＣＤＭＡタイプ信号において利用される技術の混合を含む。
【０１６２】
様々な実施形態では、本明細書で説明したノードは、１つまたは複数の方法に対応するステップ、たとえば、ＷＡＮ信号を受信すること、受信ＷＡＮ信号に基づいてピアツーピアシグナリングに使用すべきＷＡＮ通信帯域を選択すること、ダウンリンク帯域に関連する対応するアップリンク帯域を記憶された情報から特定すること、ＷＡＮ通信帯域において所定のしきい値を上回るＷＡＮ信号の不在を監視すること、しきい値との受信電力測定値の比較に応じてＷＡＮ帯域をピアツーピアシグナリングに使用することを判断すること、ロケーション判断を実行すること、通信帯域判断を実行することなどを実行するために、１つまたは複数のモジュールを使用して実装される。いくつかの実施形態では、様々な機能はモジュールを使用して実装される。そのようなモジュールは、ソフトウェア、ハードウェアまたはソフトウェアとハードウェアの組合せを使用して実装できる。上記の方法または方法ステップの多くは、たとえば１つまたは複数のノードにおいて、上記の方法の全部または一部を実施するために、追加のハードウェアの有無にかかわらず、機械、たとえば汎用コンピュータを制御する、メモリデバイスなど、たとえば、ＲＡＭ、フロッピー（登録商標）ディスクなどの機械可読媒体中に含まれる、ソフトウェアなどの機械実行可能命令を使用して実施できる。したがって、特に、様々な実施形態は、機械、たとえば、プロセッサおよび関連するハードウェアに上記の１つまたは複数の方法のステップの１つまたは複数を実行させる機械実行可能命令を含む機械可読媒体を対象とする。
【０１６３】
上記の方法および装置に関する多数の追加の変形形態は、上記の説明に鑑みて、当業者には明らかであろう。そのような変形形態は範囲内に入ると考えるべきである。様々な実施形態の方法および装置は、ＣＤＭＡ、直交周波数分割多重（ＯＦＤＭ）、および／またはアクセスノードと移動体ノードとの間にワイヤレス通信リンクを与えるために使用される様々な他のタイプの通信技法とともに使用でき、様々な実施形態において使用される。いくつかの実施形態では、アクセスノードは、ＯＦＤＭおよび／またはＣＤＭＡを使用して移動体ノードとの通信リンクを確立する基地局として実装される。様々な実施形態では、移動体ノードは、様々な実施形態の方法を実施するための受信機／送信機回路ならびに論理および／またはルーチンを含む、ノートブックコンピュータ、個人情報端末（ＰＤＡ）、または他の携帯装置として実装される。
以下に本願発明の当初の特許請求の範囲に記載された発明を付記する。
［Ｃ１］
通信デバイスを動作させる方法であって、
少なくとも１つのワイドエリアネットワーク（ＷＡＮ）通信帯域において信号を受信することを監視することと、
しきい値レベルを超える信号電力レベルを有する信号が所定の期間内に前記通信帯域から受信されなかった場合、ピアツーピア信号の伝達に用いるために、前記監視された通信帯域に対応する通信帯域を選択することとを備える方法。
［Ｃ２］
前記対応する通信帯域においてピアツーピア信号を送信することをさらに備えるＣ１に記載の方法。
［Ｃ３］
前記対応する通信帯域が前記通信帯域と同一であるＣ２に記載の方法。
［Ｃ４］
前記対応する通信帯域が前記通信帯域と異なるＣ２に記載の方法。
［Ｃ５］
前記通信帯域は、周波数分割複信システムにおけるＷＡＮダウンリンク帯域であり、前記対応する通信帯域は、前記周波数分割複信システムにおけるＷＡＮアップリンク周波数帯域であるＣ４に記載の方法。
［Ｃ６］
前記通信帯域は、ＴＤＤシステムにおけるＷＡＮダウンリンク帯域であり、前記対応する通信帯域は、前記ＴＤＤシステムにおけるアップリンク帯域であるＣ４に記載の方法。
［Ｃ７］
前記第１の通信帯域は、複数の通信帯域のうちの１つであり、
しきい値を超える前記第１の通信帯域において信号が検出された場合、前記複数の通信帯域外の第２の帯域を監視することと、
ピアツーピアシグナリングのために、前記複数の通信帯域のうちの前記第１の通信帯域以外の１つを選択することとを備えるＣ１に記載の方法。
［Ｃ８］
前記監視することは、前記複数の通信帯域のうちの前記第１の通信帯域以外の前記選択された１つにおいてしきい値を超える信号を検出しないＣ７に記載の方法。
［Ｃ９］
少なくとも１つのワイドエリアネットワーク（ＷＡＮ）通信帯域からの信号を受信する受信機モジュールと、
しきい値レベルを超える信号電力レベルを有する信号が所定の期間内に前記通信帯域から受信されたかを判断するしきい値判断モジュールと、
前記しきい値判断モジュールが、しきい値レベルを超える信号電力レベルを有する信号が所定の期間内に受信されなかったと判断した場合、ピアツーピアシグナリングのために、監視された通信帯域に対応する通信帯域を選択するピアツーピア通信帯域選択モジュールとを備えるワイヤレス端末。
［Ｃ１０］
ピアツーピア信号を生成するピアツーピア信号生成モジュールと、
前記対応する通信帯域において前記ピアツーピア信号を送信する送信機モジュールとをさらに備えるＣ９に記載のワイヤレス端末。
［Ｃ１１］
前記少なくとも１つのＷＡＮ通信帯域に対応するＷＡＮ通信帯域を示す、記憶された情報を含むメモリをさらに備え、前記記憶された情報は、前記対応する通信帯域が前記通信帯域と同一であることを示すＣ１０に記載のワイヤレス端末。
［Ｃ１２］
前記少なくとも１つのＷＡＮ通信帯域に対応するＷＡＮ通信帯域を示す、記憶された情報を含むメモリをさらに備え、前記記憶された情報は、前記対応する通信帯域が前記通信帯域と異なることを示すＣ１０に記載のワイヤレス端末。
［Ｃ１３］
前記通信帯域は、周波数分割複信システムにおけるＷＡＮダウンリンク帯域であり、前記ワイヤレス端末はさらに、
前記周波数分割複信システムにおけるアップリンク周波数帯域である対応する周波数帯域を示す、格納された対応する通信帯域情報を含むメモリを備えるＣ１２に記載のワイヤレス端末。
［Ｃ１４］
前記通信帯域は、ＴＤＤシステムにおけるＷＡＮダウンリンク帯域であり、前記ワイヤレス端末はさらに、
前記ＴＤＤシステムにおけるアップリンク帯域である対応する通信帯域を示す、格納された対応する通信帯域情報を含むメモリを備えるＣ１２に記載のワイヤレス端末。
［Ｃ１５］
第１の通信帯域が複数の通信帯域のうちの１つであり、
しきい値を超える前記第１の通信帯域において信号が検出された場合、前記しきい値判断モジュールは、前記複数の通信帯域外の第２の帯域を監視し、
前記選択モジュールは、前記第２の帯域を監視することに応じて、ピアツーピアシグナリングのために、前記複数の通信帯域のうちの前記第１の通信帯域以外の１つを選択するＣ９に記載のワイヤレス端末。
［Ｃ１６］
前記選択モジュールは、前記判断モジュールが、前記しきい値を超える信号を検出しない通信帯域を選択するＣ１５に記載のワイヤレス端末。
［Ｃ１７］
前記選択モジュールは、前記判断モジュールが前記しきい値を超える信号を検出しないダウンリンク通信帯域に対応するアップリンク通信帯域を選択するＣ１５に記載のワイヤレス端末。
［Ｃ１８］
少なくとも１つのワイドエリアネットワーク（ＷＡＮ）通信帯域からの信号を受信する受信機手段と、
しきい値レベルを超える信号電力レベルを有する信号が所定の期間内に前記通信帯域から受信されたかを判断する手段と、
前記判断する手段が、しきい値レベルを超える信号電力レベルを有する信号が所定の期間内に受信されなかったと判断した場合、ピアツーピアシグナリングのために、監視された通信帯域に対応する通信帯域を選択する手段とを備えるワイヤレス端末。
［Ｃ１９］
ピアツーピア信号を生成する手段と、
前記対応する通信帯域において前記ピアツーピア信号を送信する手段とをさらに備えるＣ１８に記載のワイヤレス端末。
［Ｃ２０］
第１の通信帯域が複数の通信帯域のうちの１つであり、
しきい値を超える前記第１の通信帯域において信号が検出された場合、前記判断する手段は、前記複数の通信帯域外の第２の帯域を監視し、
前記選択する手段は、前記第２の帯域を監視することに応じて、ピアツーピアシグナリングのために、前記複数の通信帯域のうちの前記第１の通信帯域以外の１つを選択するＣ１８に記載のワイヤレス端末。
［Ｃ２１］
前記選択する手段は、検出する手段が、前記しきい値を超える信号を検出しない通信帯域を選択するＣ２０に記載のワイヤレス端末。
［Ｃ２２］
前記選択する手段は、検出する手段が、前記しきい値を超える信号を検出しないダウンリンク通信帯域に対応するアップリンク通信帯域を選択するＣ２０に記載のワイヤレス端末。
［Ｃ２３］
別のデバイスと通信する方法を実施するために通信デバイスを制御するための機械実行可能命令を具備するコンピュータ可読媒体であって、前記方法が、
少なくとも１つのワイドエリアネットワーク（ＷＡＮ）通信帯域において信号を受信することを監視することと、
しきい値レベルを超える信号電力レベルを有する信号が所定の期間に前記通信帯域から受信されなかった場合、ピアツーピア信号の伝達に用いるために、前記監視された通信帯域に対応する通信帯域を選択することとを備えるコンピュータ可読媒体。
［Ｃ２４］
前記対応する通信帯域において前記ピアツーピア信号を送信するための機械実行可能命令をさらに具備するＣ２３に記載のコンピュータ可読媒体。
［Ｃ２５］
前記対応する通信帯域が前記通信帯域と異なるＣ２４に記載のコンピュータ可読媒体。
［Ｃ２６］
第１の通信帯域が複数の通信帯域のうちの１つであり、
しきい値を超える前記第１の通信帯域において信号が検出された場合、前記複数の通信帯域外の第２の帯域を監視するための機械実行可能命令と、
ピアツーピアシグナリングのために、前記複数の通信帯域のうちの前記第１の通信帯域以外の１つを選択するための機械実行可能命令とをさらに具備するＣ２３に記載のコンピュータ可読媒体。
［Ｃ２７］
前記監視することは、前記複数の通信帯域のうちの前記第１の通信帯域以外の前記選択された１つにおいて前記しきい値を超える信号を検出しないＣ２６に記載のコンピュータ可読媒体。
［Ｃ２８］
少なくとも１つのワイドエリアネットワーク（ＷＡＮ）通信帯域において信号を受信することを監視し、
しきい値レベルを超える信号電力レベルを有する信号が所定の期間に前記通信帯域から受信されなかった場合、ピアツーピア信号の伝達に用いるために、前記監視された通信帯域に対応する通信帯域を選択する
ように構成されたプロセッサを備える装置。
［Ｃ２９］
前記プロセッサはさらに、前記対応する通信帯域において前記ピアツーピア信号を送信するように構成されたＣ２８に記載の装置。
［Ｃ３０］
前記対応する通信帯域が前記通信帯域と異なるＣ２９に記載の装置。
［Ｃ３１］
第１の通信帯域が、複数の通信帯域のうちの１つであり、
しきい値を超える前記第１の通信帯域において信号が検出された場合、前記プロセッサはさらに、前記複数の通信帯域外の第２の帯域を監視し、
ピアツーピアシグナリングのために、前記複数の通信帯域のうちの前記第１の通信帯域以外の１つを選択するように構成されたＣ２８に記載の装置。
［Ｃ３２］
前記監視することは、前記複数の通信帯域のうちの前記第１の通信帯域以外の前記選択された１つにおいて前記しきい値を超える信号を検出しないＣ３１に記載の装置。
【図１】
0005394378.tif 000002
【図２】
0005394378.tif 000003
【図３】
0005394378.tif 000004
【図４】
0005394378.tif 000005
【図５】
0005394378.tif 000006
【図６】
0005394378.tif 000007
【図７】
0005394378.tif 000008
【図８】
0005394378.tif 000009
【図９】
0005394378.tif 000010
【図１０】
0005394378.tif 000011
【図１１】
0005394378.tif 000012
【図１２】
0005394378.tif 000013
【図１３】
0005394378.tif 000014
【図１４】
0005394378.tif 000015
【図１５】
0005394378.tif 000016
【図１６】
0005394378.tif 000017
【図１７】
0005394378.tif 000018
【図１８】
0005394378.tif 000019
【図１９】
0005394378.tif 000020